(57)【特許請求の範囲】
【請求項１】
無線通信のための方法であって、
受信機の少なくとも１つのアンテナを通して信号を受信することと、前記信号は、複数の空間ストリームを備え、ここにおいて、前記受信機に意図される前記複数の空間ストリームからの空間ストリームの数は、前記アンテナの数よりも少ないか、または等しく、前記受信機は、前記信号の受信の前にパケットにおいて、前記空間ストリームの最大数、または前記受信機ごとに意図される前記空間ストリームについての情報のうちの少なくとも１つについての情報を受信しうる、
前記受信機の全てのアンテナの各々によって受信される前記信号の１つまたは複数の長いトレーニングフィールド（ＬＴＦ）に基づいて、他の受信機に意図される前記空間ストリームのうちの１つまたは複数によって生じる干渉を除去するために干渉抑制を実行することと、ここにおいて、前記ＬＴＦは、前記他の受信機に意図される前記空間ストリームのチャネルを推定するために利用される、
を備える方法。
【請求項２】
前記信号は、前記空間ストリームの最大数のうちの少なくとも１つについての情報、または前記受信機ごとに意図される空間ストリームについての情報を備える、請求項１に記載の方法。
【請求項３】
前記信号の受信の前にパケットにおいて、前記空間ストリームの最大数のうちの少なくとも１つについての情報、または前記受信機ごとに意図される空間ストリームについての情報を受信することをさらに備える、請求項１に記載の方法。
【請求項４】
前記干渉抑制を実行することによって得られる前記他の受信機に意図される前記空間ストリームについての知識を使用して前記受信機に意図される１つまたは複数の空間ストリームを復号することをさらに備える、請求項１に記載の方法。
【請求項５】
前記信号は、１つまたは複数のＬＴＦを備え、前記ＬＴＦの数は、全ての前記受信機のための全ての前記複数の空間ストリームをトレーニングするのに十分である、請求項１に記載の方法。
【請求項６】
前記ＬＴＦの後に、前記信号の非常に高いスループット信号フィールド（ＶＨＴ−ＳＩＧ）が続き、前記ＶＨＴ−ＳＩＧフィールドは、前記受信機の各々と関連する変調タイプ、符号化レート、または送信パケットの長さのうちの少なくとも１つについての情報を備える、請求項５に記載の方法。
【請求項７】
前記信号の非常に高いスループット信号フィールド（ＶＨＴ−ＳＩＧ）が、１セットの前記ＬＴＦに先行し、
前記ＶＨＴ−ＳＩＧフィールドは、前記セットからのＬＴＦの数について、および前記複数の空間ストリームのうちのどれが前記受信機のどれに割り当てられるのかについての情報を備える、請求項５に記載の方法。
【請求項８】
前記信号は、空間分割多元接続（ＳＤＭＡ）を使用して送信される、請求項１に記載の方法。
【請求項９】
無線通信のための装置であって、
前記装置の少なくとも１つのアンテナを通して信号を受信するように構成される受信機と、前記信号は、複数の空間ストリームを備え、ここにおいて、前記装置に意図される前記複数の空間ストリームからの空間ストリームの数は、前記アンテナの数よりも少ないか、または等しく、前記受信機は、前記信号の受信の前にパケットにおいて、前記空間ストリームの最大数、または前記受信機ごとに意図される前記空間ストリームについての情報のうちの少なくとも１つについての情報を受信しうる、
前記受信機の全てのアンテナの各々によって受信される前記信号の１つまたは複数の長いトレーニングフィールド（ＬＴＦ）に基づいて、他の装置に意図される前記空間ストリームのうちの１つまたは複数によって生じる干渉を除去するために干渉抑制を実行するように構成される回路と、ここにおいて、前記ＬＴＦは、前記他の装置に意図される前記空間ストリームのチャネルを推定するために利用される、
を備える装置。
【請求項１０】
前記信号は、前記空間ストリームの最大数のうちの少なくとも１つについての情報、または前記他の装置ごとに意図される空間ストリームについての情報を備える、請求項９に記載の装置。
【請求項１１】
前記受信機はまた、
前記信号の受信の前にパケットにおいて、前記空間ストリームの最大数のうちの少なくとも１つについての情報、または前記他の装置ごとに意図される空間ストリームについての情報を受信する
ように構成されている、請求項９に記載の装置。
【請求項１２】
前記干渉抑制を実行することによって得られる前記他の装置に意図される前記空間ストリームについての知識を使用する前記装置に意図される１つまたは複数の空間ストリームを復号するように構成される復号器をさらに備える、請求項９に記載の装置。
【請求項１３】
前記信号は、１つまたは複数のＬＴＦを備え、前記ＬＴＦの数は、全ての前記他の装置のための前記複数の空間ストリームの全てをトレーニングするのに十分である、請求項９に記載の装置。
【請求項１４】
前記ＬＴＦの後に、前記信号の非常に高いスループット信号フィールド（ＶＨＴ−ＳＩＧ）が続き、
前記ＶＨＴ−ＳＩＧフィールドは、前記他の装置の各々と関連する変調タイプ、符号化レート、または送信パケットの長さのうちの少なくとも１つについての情報を備える、請求項１３に記載の装置。
【請求項１５】
前記信号の非常に高いスループット信号フィールド（ＶＨＴ−ＳＩＧ）が、１セットの前記ＬＴＦに先行し、
前記ＶＨＴ−ＳＩＧフィールドは、前記セットからのＬＴＦの数について、および前記複数の空間ストリームのうちのどれが前記他の装置のどれに割り当てられるのかについての情報を備える、請求項１３に記載の装置。
【請求項１６】
前記信号は、空間分割多元接続（ＳＤＭＡ）を使用して送信される、請求項９に記載の装置。
【請求項１７】
無線通信のための装置であって、
前記装置の少なくとも１つのアンテナを通して信号を受信するための手段と、前記信号は、複数の空間ストリームを備え、ここにおいて、前記装置に意図される前記複数の空間ストリームからの空間ストリームの数は、前記アンテナの数よりも少ないか、または等しく、前記装置は、前記信号の受信の前にパケットにおいて、前記空間ストリームの最大数、または前記装置ごとに意図される前記空間ストリームについての情報のうちの少なくとも１つについての情報を受信しうる、
受信機の全てのアンテナの各々によって受信される前記信号の１つまたは複数の長いトレーニングフィールド（ＬＴＦ）に基づいて、他の装置に意図される前記空間ストリームのうちの１つまたは複数によって生じる干渉を除去するために干渉抑制を実行するための手段と、ここにおいて、前記ＬＴＦは、前記他の装置に意図される前記空間ストリームのチャネルを推定するために利用される、
を備える装置。
【請求項１８】
前記信号は、前記空間ストリームの最大数のうちの少なくとも１つについての情報、または前記他の装置ごとに意図される空間ストリームについての情報を備える、請求項１７に記載の装置。
【請求項１９】
前記受信するための手段は、前記信号の受信の前にパケットにおいて、前記空間ストリームの最大数のうちの少なくとも１つについての情報、または前記他の装置ごとに意図される空間ストリームについての情報を受信するようにさらに構成される、請求項１７に記載の装置。
【請求項２０】
前記干渉抑制を実行することによって得られる前記他の装置に意図される前記空間ストリームについての知識を使用して前記装置に意図される１つまたは複数の空間ストリームを復号するための手段をさらに備える、請求項１７に記載の装置。
【請求項２１】
前記信号は、１つまたは複数のＬＴＦを備え、前記ＬＴＦの数は、全ての前記他の装置のための前記複数の空間ストリームの全てをトレーニングするのに十分である、請求項１７に記載の装置。
【請求項２２】
前記ＬＴＦの後に、前記信号の非常に高いスループット信号フィールド（ＶＨＴ−ＳＩＧ）が続き、
前記ＶＨＴ−ＳＩＧフィールドは、前記他の装置の各々と関連する、変調タイプ、符号化レート、または送信パケットの長さのうちの少なくとも１つについての情報を備える、請求項２１に記載の装置。
【請求項２３】
前記信号の非常に高いスループット信号フィールド（ＶＨＴ−ＳＩＧ）が、１セットの前記ＬＴＦに先行し、
前記ＶＨＴ−ＳＩＧフィールドは、前記セットからのＬＴＦの数について、および前記複数の空間ストリームのうちのどれが前記他の装置のどれに割り当てられるのかについての情報を備える、請求項２１に記載の装置。
【請求項２４】
前記信号は、空間分割多元接続（ＳＤＭＡ）を使用して送信される、請求項１７に記載の装置。
【請求項２５】
受信機の少なくとも１つのアンテナを通して信号を受信することと、前記信号は、複数の空間ストリームを備え、ここにおいて、前記受信機に意図される前記複数の空間ストリームからの空間ストリームの数は、前記アンテナの数よりも少ないか、または等しく、前記受信機は、前記信号の受信の前にパケットにおいて、前記空間ストリームの最大数、または前記受信機ごとに意図される前記空間ストリームについての情報のうちの少なくとも１つについての情報を受信しうる、
前記受信機の全てのアンテナの各々によって受信される前記信号の１つまたは複数の長いトレーニングフィールド（ＬＴＦ）に基づいて、他の受信機に意図される前記空間ストリームのうちの１つまたは複数によって生じる干渉を除去するために干渉抑制を実行することと、ここにおいて、前記ＬＴＦは、前記他の受信機に意図される前記空間ストリームのチャネルを推定するために利用される、
を実行することができる命令を備えるコンピュータ可読記憶媒体。
【請求項２６】
無線ノードであって、
少なくとも１つのアンテナと、
前記無線ノードの前記少なくとも１つのアンテナを通して信号を受信するように構成される受信機と、前記信号は、複数の空間ストリームを備え、ここにおいて、前記無線ノードに意図される前記複数の空間ストリームからの空間ストリームの数は、前記アンテナの数よりも少ないか、または等しく、前記受信機は、前記信号の受信の前にパケットにおいて、前記空間ストリームの最大数、または前記受信機ごとに意図される前記空間ストリームについての情報のうちの少なくとも１つについての情報を受信しうる、
前記受信機の全てのアンテナの各々によって受信される前記信号の１つまたは複数の長いトレーニングフィールド（ＬＴＦ）に基づいて、他の無線ノードに意図される前記空間ストリームのうちの１つまたは複数によって生じる干渉を除去するために干渉抑制を実行するように構成される回路と、前記ＬＴＦは、前記他の無線ノードに意図される前記空間ストリームのチャネルを推定するために利用される、
を備える無線ノード。
【発明の詳細な説明】
【関連出願の参照】
【０００１】
本特許出願は２００９年９月２日付けで提出された「Multi-User Detection in SDMA」という名称の米国仮出願６１/２３９，３７９に基づいて優先権を主張するものであって、譲受人に譲渡され、参照によって本明細書に明白に組み込まれる。
【技術分野】
【０００２】
本開示のある態様は、一般に、無線通信に関係し、より詳細には、フレキシブル空間分割多元接続（ＳＤＭＡ：flexible spatial-division multiple access）および干渉抑制に関係する。
【背景技術】
【０００３】
無線通信システムに求められる帯域幅要求の増加の問題に対処するために、高いデータスループットを達成しつつ、チャネルリソースを共有することにより、複数のユーザ端末が単一のアクセスポイントと通信することを可能にするための異なる方式が開発されている。多入力または多出力（ＭＩＭＯ）技術は、次世代通信システム用の一般的な技術として最近出現したアプローチの１つを代表する。ＭＩＭＯ技術は、ＩＥＥＥ（the Institute of Electrical and Electronics Engineers）８０２．１１標準のようないくつかの新生無線通信標準に採用されている。ＩＥＥＥ８０２．１１は、数十メートルから数百メートルのような短距離通信に関するＩＥＥＥ８０２．１１委員会によって開発された１セットの無線ローカルエリアネットワーク（ＷＬＡＮ）無線インターフェース標準を示す。
【０００４】
ＭＩＭＯ無線システムは、データ送信のために多く（ＮＴ個）の送信アンテナおよび多く（ＮＲ個）の受信アンテナを使用する。ＮＴ個の送信アンテナおよびＮＲ個の受信アンテナによって形成されるＭＩＭＯチャネルは、ＮＳ個の空間ストリームへ分解されうる。ここで、全ての実用的な目的のために、ＮＳ＜＝最少{ＮＴ，ＮＲ}である。より大きな全体的なスループットを達成するために、ＮＳ個の空間ストリームがＮＳ個の独立のデータストリームを送信するために使用されうる。
【０００５】
単一のアクセスポイントおよび複数の局をともなう無線ネットワークでは、アップリンク方向およびダウンリンク方向の両方において、異なる局に向かって複数のチャネル上で同時送信が生じうる。非レガシーデバイスに加えてレガシーデバイスと通信する能力、リソースの効率的な使用、および干渉のようなそのようなシステムにおける多くの課題が示される。
【発明の概要】
【０００６】
本開示のある態様は、無線通信のための方法を提供する。当該方法は、一般に、受信機の少なくとも１つのアンテナを通して信号を受信し、信号は、複数の空間ストリームを備えることと、ここにおいて、受信機に意図される複数の空間ストリームからの空間ストリームの数は、アンテナの数よりも少ないか、または等しい、アンテナの各々によって受信される信号の１つまたは複数のロングトレーニングフィールド（ＬＴＦ：Long training field）に基づいて、他の受信機に意図される空間ストリームのうちの１つまたは複数の空間ストリームによって生じる干渉を除去するために干渉抑制を行うことと、ここにおいて、ＬＴＦは、他の受信機に意図される空間ストリームのチャネルを推定するために利用される、を含む。
【０００７】
本開示のある態様は、無線通信のための装置を提供する。当該装置は、一般に、装置の少なくとも１つのアンテナを通して信号を受信するように構成され、信号は、複数の空間ストリームを備える受信機であって、装置に意図される複数の空間ストリームからの空間ストリームの数は、アンテナの数より少ないか、または等しい、受信機と、アンテナの各々によって受信される信号の１つまたは複数のロングトレーニングフィールド（ＬＴＦ）に基づいて、他の装置に意図される空間ストリームのうちの１つまたは複数の空間ストリームによって生じる干渉を除去するために干渉抑制を実行するように構成される回路であって、ＬＴＦは、他の装置に意図される空間ストリームのチャネルを推定するために利用される、回路とを含む。
【０００８】
本開示のある態様は、無線通信のための装置を提供する。装置は、一般に、装置の少なくとも１つのアンテナを通して信号を受信し、信号は、複数の空間ストリームを備える手段であって、装置に意図される複数の空間ストリームからの空間ストリームの数は、アンテナの数よりも少ないか、または等しい、手段と、アンテナの各々によって受信される信号の１つまたは複数のロングトレーニングフィールド（ＬＴＦ）に基づいて、他の装置に意図される空間ストリームのうちの１つまたは複数の空間ストリームによって生じる干渉を除去するために干渉抑制を実行するための手段であって、ＬＴＦは、他の装置に意図される空間ストリームのチャネルを推定するために利用される、手段とを含む。
【０００９】
本開示のある態様は、無線通信のためのコンピュータプログラムプロダクトを提供する。コンピュータプログラムプロダクトは、受信機の少なくとも１つのアンテナを通して信号を受信し、信号は、複数の空間ストリームを備えることと、ここにおいて、受信機に意図される複数の空間ストリームからの空間ストリームの数は、アンテナの数よりも少ないか、または等しい、アンテナの各々によって受信される信号の１つまたは複数のロングトレーニングフィールド（ＬＴＦ）に基づいて、他の受信機に意図される空間ストリームのうちの１つまたは複数の空間ストリームによって生じる干渉を除去するために干渉抑制を実行することと、ここにおいて、ＬＴＦは、他の受信機に意図される空間ストリームのチャネルを推定するために利用される、実行可能な命令を備えるコンピュータ可読媒体を含む。
【００１０】
本開示のある態様は、無線ノードを提供する。無線ノードは、一般に、少なくとも１つのアンテナと、無線ノードの少なくとも１つのアンテナを通して信号を受信するように構成され、信号は、複数の空間ストリームを備える受信機であって、無線ノードに意図される複数の空間ストリームからの空間ストリームの数は、アンテナの数よりも少ないか、または等しい、受信機と、アンテナの各々によって受信される信号の１つまたは複数のロングトレーニングフィールド（ＬＴＦ）に基づいて、他の無線ノードに意図される空間ストリームのうちの１つまたは複数の空間ストリームによって生じる干渉を除去するために干渉抑制を実行するように構成される回路であって、ＬＴＦは、他の無線ノードに意図される空間ストリームのチャネルを推定するために利用される、回路とを含む。
【００１１】
本開示のある態様は、無線通信のための方法を提供する。当該方法は、一般に、送信機と少なくとも２つの受信機との間の複数の無線チャネルを推定することと、ここにおいて、複数の受信機のうちの少なくとも１つの受信機のチャネル推定は、他の受信機と比較して異なるように得られ、チャネル推定は、受信機から送信機へのチャネル状態情報（ＣＳＩ）またはＣＳＩの圧縮された表示を備える明示的なフィードバック、または受信機から送信機へのチャネルを使用する送信機から受信機へのチャネルの暗示的な推定のいずれかを通して得られる、チャネル推定を結合することによって結合されたチャネル推定を得ることと、結合されたチャネル推定に基づいて空間分割多元接続（ＳＤＭＡ）重み付けを計算することと、計算されたＳＤＭＡ重み付けを使用して複数の信号を受信機に送信することとを含む。
【００１２】
本開示のある態様は、無線通信のための装置を提供する。当該装置は、一般に、装置と少なくとも２つの他の装置との間の複数の無線チャネルを推定するように構成される推定器であって、他の装置のうちの少なくとも１つの装置のチャネル推定は、他の装置と比較して異なるように得られ、チャネル推定は、他の装置のうちの１つの装置から装置へのチャネル状態情報（ＣＳＩ）またはＣＳＩの圧縮された表示を備える明示的なフィードバック、または他の装置から装置へのチャネルを使用する装置から他の装置へのチャネルの暗示的な推定のいずれかを通して得られる、結合されたチャネル推定を得るためにチャネル推定を結合するように構成される結合器と、結合されたチャネル推定に基づいて空間分割多元接続（ＳＤＭＡ）重み付けを計算するように構成される回路と、計算されたＳＤＭＡ重み付けを使用して複数の信号を他の装置に送信するように構成される送信機とを含む。
【００１３】
本開示のある態様は、無線通信のための装置を提供する。当該装置は、一般に、装置と少なくとも２つの他の装置との間の複数の無線チャネルを推定するための手段であって、他の装置のうちの少なくとも１つの装置のチャネル推定は、他の装置と比較して異なるように得られ、チャネル推定は、他の装置のうちの１つの装置から装置へのチャネル状態情報（ＣＳＩ）またはＣＳＩの圧縮された表示を備える明示的なフィードバック、または他の装置から装置へのチャネルを使用する装置から他の装置へのチャネルの暗示的な推定のいずれかを通して得られる、手段と、結合されたチャネル推定を得るためにチャネル推定を結合するための手段と、結合されたチャネル推定に基づいて空間分割多元接続（ＳＤＭＡ）重み付けを計算するための手段と、計算されたＳＤＭＡ重み付けを使用して複数の信号を他の装置に送信するための手段とを含む。
【００１４】
本開示のある態様は、無線通信のためのコンピュータプログラムプロダクトを提供する。当該コンピュータプログラムプロダクトは、送信機と少なくとも２つの受信機との間の複数の無線チャネルを推定することと、ここにおいて、少なくとも１つの受信機のチャネル推定は、他の受信機と比較して異なるように得られ、チャネル推定は、受信機から送信機へのチャネル状態情報（ＣＳＩ）またはＣＳＩの圧縮された表示を備える明示的なフィードバック、または受信機から送信機へのチャネルを使用する送信機から受信機へのチャネルの暗示的な推定のいずれかを通して得られる、結合されたチャネル推定を得るためにチャネル推定を結合することと、結合されたチャネル推定に基づいて空間分割多元接続（ＳＤＭＡ）重み付けを計算することと、計算されたＳＤＭＡ重み付けを使用して複数の信号を受信機に送信することとを実行可能な命令を備えるコンピュータ可読媒体を含む。
【００１５】
本開示のある態様は、アクセスポイントを提供する。当該アクセスポイントは、一般に、少なくとも１つのアンテナと、アクセスポイントと少なくとも２つの無線ノードとの間の複数の無線チャネルを推定するように構成される推定器であって、複数の無線ノードのうちの少なくとも１つの無線ノードのチャネル推定は、他の無線ノードと比較して異なるように得られ、チャネル推定は、無線ノードのうちの１つからアクセスポイントへのチャネル状態情報（ＣＳＩ）またはＣＳＩの圧縮された表示を備える明示的なフィードバック、または無線ノードからアクセスポイントへのチャネルを使用するアクセスポイントから無線ノードへのチャネルの暗示的な推定のいずれかを通して得られる、推定器と、結合されたチャネル推定を得るためにチャネル推定を結合するように構成される結合器と、結合されたチャネル推定に基づいて空間分割多元接続（ＳＤＭＡ）重み付けを計算するように構成される回路と、計算されたＳＤＭＡ重み付けを使用して複数の信号を少なくとも１つのアンテナを通して無線ノードへ送信するように構成される送信機とを含む。
【００１６】
本開示のある態様は、無線通信のための方法を提供する。当該方法は、一般に、複数の受信機に意図される複数の空間ストリームを備える信号を生成することと、信号のプリアンブルにおいて、１つまたは複数のロングトレーニングフィールド（ＬＴＦ）を含むことと、ここにおいて、ＬＴＦの数は、全ての受信機のための全ての空間ストリームをトレーニングするのに十分である、プリアンブルおよび信号を１つまたは複数の受信機へ送信することとを含む。
【００１７】
本開示のある態様は、無線通信のための装置を提供する。当該装置は、一般に、複数の他の装置に意図される複数の空間ストリームを備える信号を生成するように構成される第１の回路と、信号のプリアンブルにおいて、１つまたは複数のロングトレーニングフィールド（ＬＴＦ）を含むように構成される第２の回路であって、ＬＴＦの数は、全ての他の装置のための全ての空間ストリームをトレーニングするのに十分である、第２の回路と、プリアンブルおよび信号を１つまたは複数の他の装置へ送信するように構成される送信機とを含む。
【００１８】
本開示のある態様は、無線通信のための装置を提供する。当該装置は、一般に、複数の他の装置に意図される複数の空間ストリームを備える信号を生成するための手段と、信号のプリアンブルにおいて、１つまたは複数のロングトレーニングフィールド（ＬＴＦ）を含むための手段であって、ＬＴＦの数は、全ての他の装置のための全ての空間ストリームをトレーニングするのに十分である、手段と、プリアンブルおよび信号を１つまたは複数の他の装置へ送信するための手段とを含む。
【００１９】
本開示のある態様は、無線通信のためのコンピュータプログラムプロダクトを提供する。当該コンピュータプログラムプロダクトは、複数の受信機に意図される複数の空間ストリームを備える信号を生成することと、信号のプリアンブルにおいて、１つまたは複数のロングトレーニングフィールド（ＬＴＦ）を含むことと、ここにおいて、ＬＴＦの数は、全ての受信機のための全ての空間ストリームをトレーニングするのに十分である、プリアンブルおよび信号を１つまたは複数の受信機へ送信することとを実行可能な命令を備えるコンピュータ可読媒体を含む。
【００２０】
本開示のある態様は、アクセスポイントを提供する。当該アクセスポイントは、一般に、少なくとも１つのアンテナと、複数の無線ノードに意図される複数の空間ストリームを備える信号を生成するように構成される第１の回路と、信号のプリアンブルにおいて、１つまたは複数のロングトレーニングフィールド（ＬＴＦ）を含むように構成される第２の回路であって、ＬＴＦの数は、全ての無線ノードのための全ての空間ストリームをトレーニングするのに十分である、第２の回路と、プリアンブルおよび信号を少なくとも１つのアンテナを通して１つまたは複数の無線ノードへ送信するように構成される送信機とを含む。
【図面の簡単な説明】
【００２１】
上で簡単に要約された、より特定の説明が、態様（これらのうちのいくつかは、添付の図面において例示される）を参照することによってもたらされることができるので、本開示の上記の特徴が詳細に理解されることができる。しかしながら、添付の図面は、本開示のある典型的な態様のみを例示し、したがって、その範囲を制限するものとみなされず、詳細な説明について他の同様に有効な態様を認める場合があることが注目される。
【図１】図１は、本開示のある態様にしたがって、無線通信ネットワークの図を例示する。
【図２】図２は、本開示のある態様にしたがって、アクセスポイントおよびユーザ端末の事例のブロック図を例示する。
【図３】図３は、本開示のある態様にしたがって、無線デバイスの事例のブロック図を例示する。
【図４】図４は、本開示のある態様にしたがって、ダウンリンクＳＤＭＡにおいて干渉抑制をサポートすることができるプリアンブル構造の事例を例示する。
【図５】図５は、本開示のある態様にしたがって、フレキシブル空間分割多元接続（ＳＤＭＡ）ネットワークのための送信機側のオペレーションの事例を例示する。
【図５Ａ】図５Ａは、図５において図示されるオペレーションを実行することができるコンポーネントの事例を例示する。
【図６】図６は、本開示のある態様にしたがって、ダウンリンクＳＤＭＡにおいて干渉抑制のための受信機側のオペレーションの事例を例示する。
【図６Ａ】図６Ａは、図６において図示されるオペレーションを実行することができるコンポーネントの事例を例示する。
【図７】図７は、本開示のある態様にしたがって、送信機側のオペレーションの他の事例を例示する。
【図７Ａ】図７Ａは、図７において図示されるオペレーションを実行することができるコンポーネントの事例を例示する。
【発明の詳細な説明】
【００２２】
本開示の様々な態様が以下で説明される。本明細書における教示は、様々な形式で具体化されることができ、本明細書において開示されるいずれの特定の構造、機能、またはその両方も、単に代表的なものであることを理解するべきである。本明細書における教示に基づいて、当業者は、本明細書において開示される態様が、他の態様と無関係に実装されることができ、これらの態様のうちの２つ以上は、様々な方法で組み合わされることができることが理解されるべきである。例えば、本明細書において述べられるいくつかの態様を使用して、装置が実装されることができ、または方法が実行されることができる。加えて、本明細書において述べられた態様のうちの１つまたは複数に加えてまたはそれ以外に、他の構造、機能性、または構造および機能性を使用して、そのような装置が実装されることができ、またはそのような方法が実行されることができる。さらに、態様は、特許請求の範囲の少なくとも１つのエレメントを含みうる。
【００２３】
用語「典型的（exemplary）」は、「事例、例、または例示として役に立つ（serving as an example, instance, or illustration）」ことを意味するよう本明細書において使用される。本明細書において「典型的（exemplary）」として説明されるいずれの態様も、他の態様に対して好ましいまたは有利であるものとして必ずしも解釈されない。また、本明細書において使用されるように、用語「レガシー局（legacy stations）」は、一般に、８０２．１１ｎまたはＩＥＥＥ８０２．１１標準の初期のバージョンをサポートする無線ネットワークノードのことをいう。
【００２４】
本明細書において説明されるマルチアンテナ送信技術は、符号分割多元接続（ＣＤＭＡ：Code Division Multiple Access）、直行周波数分割多重化（ＯＦＤＭ：Orthogonal Frequency Division Multiplexing）、時分割多元接続（ＴＤＭＡ：Time Division Multiple access）、空間分割多元接続（ＳＤＭＡ：Spatial Division Multiple Access）などのような様々な無線技術と組み合わせて使用されうる。複数のユーザ端末は、異なる（１）ＣＤＭＡのための直行符号チャネル、（２）ＴＤＭＡのための時間スロット、または（３）ＯＦＤＭのためのサブバンドを通してデータを同時に送信／受信しうる。ＣＤＭＡシステムは、ＩＳ−２０００、ＩＳ−９５、ＩＳ−８５６、広帯域ＣＤＭＡ（Ｗ-ＣＤＭＡ）、またはいくつかの他の標準を実装しうる。ＯＦＤＭシステムは、ＩＥＥＥ８０２．１１またはいくつかの他の標準を実装しうる。ＴＤＭＡシステムは、ＧＳＭ（登録商標）またはいくつかの他の標準を実装しうる。これらの様々な標準は、当業者に既知である。
【００２５】
ＭＩＭＯシステムの事例
図１は、アクセスポイントおよびユーザ端末をともなう多元接続ＭＩＭＯシステム１００を例示する。簡略化のために、図１において、１つのアクセスポイント１１０のみが図示されている。アクセスポイント（ＡＰ）は、一般に、ユーザ端末と通信する固定局であって、基地局またはいくつかの他の用語で呼ばれてもよい。ユーザ端末は、固定またはモバイルであってもよく、移動局、局（ＳＴＡ）、クライアント、無線デバイス、またはいくつかの他の用語で呼ばれてもよい。ユーザ端末は、携帯電話、携帯情報端末（ＰＤＡ）、ハンドヘルドデバイス、無線モデム、ラップトップコンピュータ、パーソナルコンピュータなどのような無線デバイスでありうる。
【００２６】
アクセスポイント１１０は、ダウンリンクおよびアップリンク上でいかなるときでも１つまたは複数のユーザ端末１２０と通信しうる。ダウンリンク（つまり、順方向リンク）は、アクセスポイントからユーザ端末への通信リンクであり、アップリンク（つまり、逆方向リンク）は、ユーザ端末からアクセスポイントへの通信リンクである。ユーザ端末はまた、他のユーザ端末とピア・ツー・ピアで通信しうる。システムコントローラ１３０は、アクセスポイントに結合し、アクセスポイントのための調整および制御を提供する。
【００２７】
システム１００は、ダウンリンクおよびアップリンク上のデータ送信のための複数の送信アンテナおよび複数の受信アンテナを使用する。アクセスポイント１１０は、Ｎａｐ本のアンテナを備え、ダウンリンク送信のための複数入力（ＭＩ）およびアップリンク送信のための複数出力（ＭＯ）を表す。ＳＭＤＡまたはマルチユーザＭＩＭＯの場合、選択されたユーザ端末１２０の１セット、Ｎｕ、は、ダウンリンク送信のための複数出力およびアップリンク送信のための複数入力を集合的に表す。ある場合では、Ｎｕ個のユーザ端末のためのデータシンボルストリームが符号、周波数、または時間において、いくつかの手段で多重化されない場合、Ｎａｐ≧Ｎｕ≧１を有していることが望ましい場合がある。データシンボルストリームが、ＣＤＭＡにより異なる符号チャネル、ＯＦＤＭによりサブバンドの非結合のセットなどを使用して多重化されうる場合、Ｎｕは、Ｎａｐよりも大きい場合がある。各選択されたユーザ端末は、アクセスポイントへユーザ固有のデータを送信し、および／またはアクセスポイントからユーザ固有のデータを受信する。一般に、各選択されたユーザ端末は、１つまたは複数のアンテナ（つまり、Ｎｕｔ≧１）を備えうる。Ｎｕ個の選択されたユーザ端末は、同じまたは異なる数のアンテナを有しうる。
【００２８】
ＭＩＭＯシステム１００は、時分割二重（ＴＤＤ：time division duplex）システム、または周波数分割二重（ＦＤＤ：frequency division duplex）システムでありうる。ＴＤＤシステムの場合、ダウンリンクおよびアップリンクは、同じ周波数帯域を共有する。ＦＤＤシステムの場合、ダウンリンクおよびアップリンクは、異なる周波数帯域を使用する。ＭＩＭＯシステム１００はまた、送信のための単一の搬送波または複数の搬送波を利用しうる。各ユーザ端末は、単一のアンテナ（例えば、費用を抑えるために）、または複数のアンテナ（例えば、追加費用が支援されうる場合）を備えうる。
【００２９】
図２は、ＭＩＭＯシステム１００におけるアクセスポイント１１０、ならびに２個のユーザ端末１２０ｍおよび１２０ｘのブロック図を図示する。アクセスポイント１１０は、Ｎａｐ本のアンテナ２２４ａ乃至２２４ａｐを備える。ユーザ端末１２０ｍは、Ｎｕｔ，ｍ本のアンテナ２５２ｍａ乃至２５２ｍｕを備え、ユーザ端末１２０ｘは、Ｎｕｔ，ｘ本のアンテナ２５２ｘａ乃至２５２ｘｕを備える。アクセスポイント１１０は、ダウンリンクのための送信エンティティおよびアップリンクのための受信エンティティである。各ユーザ端末１２０は、アップリンクのための送信エンティティおよびダウンリンクのための受信エンティティである。本明細書において使用されるように、「送信エンティティ」は、周波数チャネルを通してデータを送信することができる独立して動作する装置またはデバイスであり、「受信エンティティ」は、周波数チャネルを通してデータを受信することができる独立して動作する装置またはデバイスである。以下の説明では、添字「ｄｎ」は、ダウンリンクを示し、添字「ｕｐ」は、アップリンクを示し、Ｎｕｐ個のユーザ端末は、アップリンク上の同時送信のために選択され、Ｎｄｎ個のユーザ端末は、ダウンリンク上の同時送信のために選択され、Ｎｕｐは、Ｎｄｎと等しくてもよいか、または等しくなくてもよく、ならびにＮｕｐおよびＮｄｎは、静的な値であってもよいか、またはスケジューリング間隔ごとに変化してもよい。ビームステアリングまたはいくつかの他の空間処理技術は、アクセスポイントおよびユーザ端末において使用されうる。
【００３０】
アップリンク上では、アップリンク送信のために選択される各ユーザ端末１２０において、ＴＸデータプロセッサ２８８が、データソース２８６からトラフィックデータを受信し、コントローラ２８０からコントロールデータを受信する。ＴＸデータプロセッサ２８８は、ユーザ端末のために選択されたレートと関連する符号化方式および変調方式に基づいて、ユーザ端末のためのトラフィックデータ{ｄｕｐ，ｍ}を処理（例えば、符号化、インターリーブ、および変調）し、データシンボルストリーム{ｓｕｐ，ｍ}を提供する。ＴＸ空間プロセッサ２９０は、データシンボルストリーム{ｓｕｐ，ｍ}上で空間処理を実行し、Ｎｕｔ，ｍ本のアンテナのためのＮｕｔ，ｍ個の送信シンボルストリームを提供する。各送信機ユニット（ＴＭＴＲ）２５４は、アップリンク信号を生成するために、それぞれの送信シンボルストリームを受信および処理する（例えば、アナログへ変換する、増幅する、フィルタする、および周波数変換する）。Ｎｕｔ，ｍ個の送信機ユニット２５４は、Ｎｕｔ，ｍ本のアンテナ２５２からアクセスポイント１１０への送信のためのＮｕｔ，ｍ個のアップリンク信号を提供する。
【００３１】
ユーザ端末の数、Ｎｕｐ個は、アップリンク上の同時送信のためにスケジュールされうる。これらのユーザ端末の各々は、そのデータシンボルストリーム上で空間処理を実行し、アクセスポイントへアップリンク上で送信シンボルストリームのそのセットを送信する。
【００３２】
アクセスポイント１１０において、Ｎａｐ本のアンテナ２２４ａ乃至２２４ａｐは、アップリンク上で送信する全てのＮｕｐ個のユーザ端末からアップリンク信号を受信する。各アンテナ２２４は、それぞれの受信機ユニット（ＲＣＶＲ）２２２へ受信信号を提供する。各受信機ユニット２２２は、送信機ユニット２５４によって実行される処理に相補的な処理を実行し、受信されたシンボルストリームを提供する。ＲＸ空間プロセッサ２４０は、Ｎａｐ個の受信機ユニット２２２からのＮａｐ個の受信されたシンボルストリーム上で受信機空間処理を実行し、Ｎｕｐ個の回復されたアップリンクデータシンボルストリームを提供する。チャネル相関反転行列（ＣＣＭＩ：Channel correlation matrix inversion）、最少平均二乗誤差（ＭＭＳＥ：minimum mean square error）、逐次干渉除去（ＳＩＣ：successive interference cancellation）、またはいくつかの他の技術にしたがって受信機空間処理が実行される。各回復されたアップリンクデータシンボルストリーム{ｓｕｐ，ｍ}は、それぞれのユーザ端末によって送信されるデータシンボルストリーム{ｓｕｐ，ｍ}の推定である。ＲＸデータプロセッサ２４２は、復号されたデータを得るために、各回復されたアップリンクデータシンボルストリーム{ｓｕｐ，ｍ}に使用されるレートにしたがって、そのストリームの各々を処理（例えば、復調、デインターリーブ、および復号）する。各ユーザ端末の復号されたデータは、記憶のためにデータシンク２４４へ提供され、および／またはさらなる処理のために制御装置２３０へ提供されうる。
【００３３】
ダウンリンク上で、アクセスポイント１１０において、ＴＸデータプロセッサ２１０は、ダウンリンク送信のためにスケジュールされたＮｄｎ個のユーザ端末のためのトラフィックデータをデータソース２０８から受信し、制御データを制御装置２３０から受信し、および場合によっては、他のデータをスケジューラ２３４から受信する。異なるトランスポートチャネル上で様々なタイプのデータが送信されうる。ＴＸデータプロセッサ２１０は、ユーザ端末ごとに選択されたレートに基づいてユーザ端末ごとのトラフィックデータを処理（例えば、符号化、インターリーブ、および変調）する。ＴＸデータプロセッサ２１０は、Ｎｄｎ個のユーザ端末のためのＮｄｎ個のダウンリンクデータシンボルストリームを提供する。ＴＸ空間プロセッサ２２０は、Ｎｄｎ個のダウンリンクデータシンボルストリーム上で空間処理を実行し、Ｎａｐ本のアンテナのためのＮａｐ個の送信シンボルストリームを提供する。各発信機ユニット（ＴＭＴＲ）２２２は、ダウンリンク信号を生成するためにそれぞれの送信シンボルストリームを受信しおよび処理する。Ｎａｐ個の送信機ユニット２２２は、Ｎａｐ本のアンテナ２２４からユーザ端末への送信のためのＮａｐ個のダウンリンク信号を提供する。
【００３４】
各ユーザ端末１２０において、Ｎｕｔ，ｍ本のアンテナ２５２は、アクセスポイント１１０からＮａｐ個のダウンリンク信号を受信する。各受信機ユニット（ＲＣＶＲ）２５４は、関連するアンテナ２５２からの受信された信号を処理し、受信されたシンボルストリームを提供する。ＲＸ空間プロセッサ２６０は、Ｎｕｔ，ｍ個の受信機ユニット２５４からのＮｕｔ，ｍ個の受信されたシンボルストリーム上で受信機空間処理を実行し、ユーザ端末のための回復されたダウンリンクデータシンボルストリーム{ｓｄｎ，ｍ}を提供する。受信機空間処理は、ＣＣＭＩ、ＭＭＳＥ、またはいくつかの他の技術にしたがって実行される。ＲＸデータプロセッサ２７０は、ユーザ端末のための復号されたデータを得るために、回復されたダウンリンクデータシンボルストリームを処理（例えば、復調、デインターリーブ、および復号）する。
【００３５】
図３は、システム１００内で使用されうる無線デバイス３０２において利用されうる様々なコンポーネントを例示する。無線デバイス３０２は、本明細書において説明された様々な方法を実装するように構成されうるデバイスの事例である。無線デバイス３０２は、アクセスポイント１１０またはユーザ端末１２０でありうる。
【００３６】
無線デバイス３０２は、無線デバイス３０２のオペレーションを制御するプロセッサ３０４を含みうる。プロセッサ３０４はまた、中央処理装置（ＣＰＵ）と呼ばれうる。読み出し専用メモリ（ＲＯＭ：read-only memory）およびランダムアクセスメモリ（ＲＡＭ： random access memory）の両方を含みうるメモリ３０６は、命令およびデータをプロセッサ３０４へ提供する。メモリ３０６の一部はまた、不揮発性のランダムアクセスメモリ（ＮＶＲＡＭ：non-volatile random access memory）を含みうる。プロセッサ３０４は、典型的に、メモリ３０６内に記憶されるプログラム命令に基づいて論理演算および算術演算を実行する。メモリ３０６における命令は、本明細書において説明される方法を実装するために実行可能でありうる。
【００３７】
無線デバイス３０２はまた、無線デバイス３０２と遠隔位置との間のデータの送信および受信を可能にするために送信機３１０および受信機３１２を含みうるハウジング３０８を含みうる。送信機３１０および受信機３１２は、トランシーバ３１４へ結合されうる。複数の送信アンテナ３１６は、ハウジング３０８へアタッチされ、トランシーバ３１４に電気的に結合されうる。無線デバイス３０２はまた、複数の送信機、複数の受信機、および複数のトランシーバを含みうる（図示されていない）。
【００３８】
無線デバイス３０２はまた、トランシーバ３１４によって受信される信号のレベルを検出および定量化するために使用されうる信号検出器３１８を含みうる。信号検出器３１８は、そのような信号を、合計エネルギー、１つのシンボル当たりの１つのサブキャリア当たりのエネルギー、電力スペクトル密度および他の信号として検出しうる。無線デバイス３０２はまた、信号処理で用いるデジタル信号プロセッサ（ＤＳＰ）３２０を含みうる。
【００３９】
無線デバイス３０２の様々なコンポーネントは、バスシステム３２２によって一緒に結合されうる。これは、データバスに加えて、電力バス、制御信号バス、および状態信号バスを含みうる。
【００４０】
当業者は、本明細書において説明される技術が、ＳＤＭＡ、ＯＦＤＭＡ、ＣＤＭＡ、ＳＤＭＡ、およびそれらの組み合わせのような任意のタイプの多元接続方式を利用するシステムに一般に適用されうることを認識する。
【００４１】
フレキシブルＳＤＭＡ−ＳＤＭＡにおける干渉抑制
本開示のある態様は、受信機上の受信アンテナの数が、受信機をターゲットとする空間ストリームの数と等しいかまたはそれ以上であるとき、ＳＤＭＡのための干渉抑制技術を提供する。受信機は、そのアンテナの全てによって受信される信号を使用して干渉抑制を実行しうる。これは、より頑強なシステムという結果となりうる。加えて、本開示のある態様は、チャネルの複数の形式および／またはビームフォーミング行列フィードバックを単一のＳＤＭＡ送信に結合するためのアルゴリズムを提案する。
【００４２】
特に移動局がＡＰより少ない空間ストリームをサポートするとき、スペクトルの効率をさらに増強するためにＭＩＭＯ通信システムにおいてビームフォーミングおよびＳＤＭＡが使用されうる。本明細書において、ビームフォーミングという用語は、一度に単一の局へビームされる送信のことをいう。これは、局の範囲および／またはレートを増強するために実行される。加えて、ＳＤＭＡという用語は、局の各々への個別の送信がレート制限されるとき、特に、ネットワークスループットを増強するために、同時に２個以上の局へビームされる送信をカバーするために使用される。
【００４３】
本明細書において、ダウンリンクＳＤＭＡに注目する。ここにおいて、アクセスポイント（ＡＰ）は、ビームフォームされた信号またはＳＤＭＡ信号を送信し、１つまたは複数の局は、それらを受信する。しかしながら、当業者は、追加の同期要求および／またはチャネル推定の情報交換、またはビームフォーミングおよびＳＤＭＡ重み付けを使用して、これらの技術が、アップリンクＳＤＭＡおよびマルチユーザＭＩＭＯに拡張されうることを認識するだろう。
【００４４】
あるＳＤＭＡ送信では、局をターゲットとする空間ストリームの数に必要な量と同じ量のトレーニングのみが、各局に向けられる。この場合、局は、干渉するストリームからのチャネルを直接トレーニングすることができない。これは、干渉抑制を実行することをより困難にする。特定の局へのダウンリンクチャネルの利用可能な推定が、ＳＤＭＡを実行する側（例えば、ＡＰ）が送ることを計画しているよりも多い空間ストリームを見越す場合、利用可能なチャネル次元を満たすために空間拡張が行われうる。しかしながら、空間拡張は、ビームフォーミングまたはＳＤＭＡ利得の損失という結果となりうる。パフォーマンスの損失を防ぐために、ＳＤＭＡデータを送信する前に、送信機は、その受信アンテナの余りをオフにするように局へシグナルしうる。
【００４５】
しかしながら、本開示のある態様の場合、受信アンテナの余りは、干渉抑制を実行するために使用されうる。提案する干渉抑制技術は、送信機（例えば、ＡＰ）において利用可能なチャネル推定の雑音および／またはエージングに対する、より頑強なシステムという結果になりうる。本明細書では、ＡＰがＳＤＭＡ送信を実行すると仮定されるが、提案する技術は、任意の無線デバイスによって使用されうることが注目されるべきである。
【００４６】
提案するように、局における受信アンテナの余りは、ダウンリンクＳＤＭＡ送信を受信しているとき、干渉抑制を利用することによってパフォーマンスを改善するために使用されうる。ＳＤＭＡにおける干渉抑制は、次の利点のうちの１つまたは複数の利点を有しうる:ｉ）ＳＤＭＡ送信機において利用可能なチャネル推定のエージングに対する改善された頑強性;ｉｉ）ＳＤＭＡ送信機において利用可能なチャネル推定上の雑音に対する改善された頑強性;ｉｉｉ）局において空間ストリームの数よりも多い受信アンテナを使用することができる。その結果、受信機において利用可能でありうる受信アンテナの余りは、オフにされる必要はないが、パフォーマンスおよびｉｖ）局からＳＤＭＡ送信機へのダウンリンクチャネル推定の明示的なフィードバックのために使用されるパフォーマンス対量子化の量をトレードオフするための能力を強化するために使用されうる。
【００４７】
ある態様の場合、干渉抑制をサポートするために、ダウンリンクＳＤＭＡ信号を受信する局は、他の局に意図される１つまたは複数の空間ストリームを含む、全ての空間ストリームからＳＤＭＡプレコード化信号を受信した後、有効なチャネルをトレーニングすることができうる。局はまた、どの空間ストリームがそれに割り当てられているかを知る必要がありうる。
【００４８】
図４は、本開示のある態様にしたがって、ダウンリンクＳＤＭＡにおいて干渉抑制をサポートするプリアンブル構造の事例を例示する。プリアンブルは、全レガシー部分４０２およびプレコードされた部分４０４のような２つの部分から成りうる。
【００４９】
全レガシー部分４０２は、（レガシー）ショートトレーニング（Ｌ−ＳＴＦ：（Legacy） short training）フィールド、ロングトレーニング（Ｌ−ＬＴＦ：long training）フィールド、信号（Ｌ−ＳＩＧ）フィールド、および高スループット信号（ＨＴ-ＳＩＧ：high throughput signal）フィールドを含みうる。プリアンブルの全レガシー部分は、いかなるビームフォーミングにもよらずに全ての局に送信されうる。この部分は、ＩＥＥＥ８０２．１１ｎ/ａ/ｂ/ｇ標準に準拠しうるレガシーデバイスをターゲットとしうる。
【００５０】
プリアンブルの予め符号化された部分４０４は、非常に高いスループットＳＴＦ（ＶＨＴ−ＳＴＦ）フィールド、ＶＨＴ−ＬＴＦ１フィールド４１２、非常に高いスループット信号フィールド４０８（ＶＨＴ−ＳＩＧ１フィールド）および１つまたは複数のＶＨＴ−ＬＴＦフィールド４０６、ならびにＳＤＭＡデータが後に続く場合があるＶＨＴ−ＳＩＧ２フィールド４１０を含みうる。プリアンブルの予め符号化された部分は、ＳＤＭＡを使用してビームフォームされるか、または送信されうる。プリアンブルのプレコード化された部分４０４は、ビームフォーミングをサポートする高いスループットをともなう局、またはＩＥＥＥ８０２．１１ｎ/ａ/ｂ/ｇ標準の増強をサポートする局をターゲットとしうる。
【００５１】
どの空間ストリームがどの局に割り当てられるかについての情報と一緒に、ＬＴＦ４０６の数が、ＶＨＴ−ＳＩＧ１フィールド４０８に含まれうる。これは、全ての局に関して類似している場合がある。他のＶＨＴ−ＳＩＧフィールド（つまり、ＶＨＴ−ＳＩＧ２フィールド４１０）は、局に固有であることができ、局ごとに専用の変調タイプ、符号化レート、および送信パケットの長さのような情報を含むことができる。
【００５２】
ある態様の場合、全ての空間ストリームがトレーニングされることができるように、ＶＨＴ−ＬＴＦ１フィールド４１２およびＶＨＴ−ＬＴＦフィールド４０６が選ばれる。局が干渉抑制を実行することを意図するとき、局は、全ての空間ストリームについてトレーニングしうる。局が干渉抑制を実行しないと決定するとき、局は、ＶＨＴ−ＳＩＧ１フィールド４０８から得られる情報に基づいて、それに意図される空間ストリームのみについてトレーニングしうる。
【００５３】
フレキシブルＳＤＭＡ
本開示のある態様は、チャネルの複数の形式および／またはビームフォーミング行列フィードバックを単一の空間分割多元接続（ＳＤＭＡ）送信に結合するためのアルゴリズムを提案する。
【００５４】
１つまたは複数の宛先へビームフォーミングまたはＳＤＭＡを実行するために、ＡＰは、ダウンリンクチャネルおよび／またはダウンリンクチャネルに対応するビームフォーミング行列を知る必要がある。ダウンリンクチャネルの知識は、明示的または黙示的のいずれかで得られることができる。明示的な方法では、ＡＰは、ビームフォームしたい局またはＳＤＭＡ送信に含みたい局へ適切な空間次元をともなうチャネルトレーニングシーケンスを送信しうる。局は、ダウンリンクチャネルを測定／推定することができうる。チャネルがいったん推定されると、局は、ダウンリンクチャネルから導き出される推定されたダウンリンクチャネルまたはビームフォーミング行列をＡＰにフィードバックしうる。
【００５５】
明示的なチャネル推定の利点のうちの１つは、ＡＰにおいて同じ数の送信および受信チェーンを必要とする暗示の方法と異なり、ＡＰが受信アンテナと同じ数の送信アンテナを有する必要がないことである。明示的な方法の他の利点は、受信アンテナとＡＰの送信アンテナとの間の利得および位相の差の校正が要求されない場合があることである。暗示的な方法に対する明示的な方法のさらなる利点は、明示的な方法が周波数分割二重（ＦＤＤ：frequency-division duplex）システムにおいて使用されうることである。
【００５６】
暗示的なチャネル推定方法に基づくビームフォーミングまたはＳＤＭＡの場合、ダウンリンクチャネルは、ＡＰにおいてアップリンクチャネルを観測すること（時分割二重（ＴＤＤ：time-division duplex）通信を仮定すること）によって暗示的に決定されうる。アップリンクチャネルは、次に、転置され、必要な場合、各受信および送信チェーンペアにおいて、任意の相対的利得および位相差について修正されうる。これらの利得および位相差は、校正を通して推定されうる。暗示的なチャネル推定方法は、ＡＰにおいてアクティブな送信チェーンと同じ数のアクティブな受信チェーンを要求しうる。
【００５７】
局のためのダウンリンクチャネルの暗示的推定は、以下のように与えられうる：
【数１】
0006042393.tif 000002
【００５８】
ここで、Ｈｕｐｌｉｎｋは、ビームフォーミングまたはＳＤＭＡ送信のいずれかのターゲットである局の（例えば、ＯＦＤＭ（Ａ）サブキャリアのうちの１つの）狭帯域（結合された）アップリンクチャネルを表しうる。Ｈｕｐｌｉｎｋは、Ｎｔｘ×Ｎｒｘ複素数エレメントから成る。ここで、Ｎｔｘは、ＡＰにおける送信アンテナの数であり、Ｎｒｘは、局における受信アンテナの数である。（.）Ｔは、対応する行列の転置を表す。行列Ｃは、各受信および送信チェーンペアにおける相対的な利得および位相差を修正するために使用される複素数エレメントをともなう対角行列でありうる。利得差はまた、Ｈｕｐｌｉｎｋが観測される場合、各受信機チェーンの利得設定における相対的な差を含みうる。
【００５９】
ＩＥＥＥ８０２．１１ｎ標準は、圧縮されているかまたは圧縮されていないかのいずれかである、暗示的ビームフォーミング、チャネル状態情報（ＣＳＩ）フィードバックを使用する明示的ビームフォーミング、およびビームフォーミング行列フィードバックを使用する明示的ビームフォーミングのような異なるタイプのビームフォーミングをサポートする。
【００６０】
本開示のある態様の場合、異なるタイプのＩＥＥＥ８０２．１１ｎビームフォーミング方法を単一のＳＤＭＡ送信に結合して、システムのよりフレキシビリティという結果となる方法が提案される。
【００６１】
図５は、本開示のある態様にしたがって、フレキシブルＳＤＭＡネットワークの送信機側のオペレーション５００の事例を例示する。５０２において、送信機（例えば、アクセスポイント）は、ＳＤＭＡネットワークのアクセスポイントと少なくとも２つの受信機（例えば、無線ノード）との間の無線チャネルのチャネル推定を実行しうる。複数の無線ノードのうちの少なくとも１つの無線ノードのチャネル推定は、他の無線ノードに関するチャネル推定と異なるように得られうる。チャネル推定は、無線ノードからアクセスポイントへのＣＳＩまたはＣＳＩの任意の圧縮された表示を備える明示的フィードバック、または無線ノードからアクセスポイントへのチャネルを使用するアクセスポイントから無線ノードへのチャネルの暗示的な推定のいずれかを通して得られうる。
【００６２】
５０４において、アクセスポイントは、結合されたチャネル推定を得るために明示的なチャネル推定および暗示的なチャネル推定をスタックしうる。５０６において、アクセスポイントは、結合されたチャネル推定に基づいてＳＤＭＡ重み付けを計算しうる。５０８において、アクセスポイントは、計算されたＳＤＭＡ重み付けまたはＳＤＭＡ重み付けの導関数を使用して少なくとも２個の無線ノードへ１つまたは複数の信号を送信しうる。ここで、非ＳＤＭＡ対応の受信機に意図される信号の第１の部分は、ビームフォームされない場合があり、ＳＤＭＡ対応の受信機に意図される信号の第２の部分は、ビームフォームされる場合がある。１つの態様では、アクセスポイントは、ＳＤＭＡ送信の前にパケットにおいて、空間ストリームの合計数のうちの少なくとも１つの空間ストリームを送信し、受信機ごとに意図される１つまたは複数の空間ストリームのマッピングを実行しうる。
【００６３】
図６は、本開示のある態様にしたがって、ダウンリンクＳＤＭＡにおける干渉抑制の受信機側のオペレーション６００の事例を例示する。６０２において、受信機（例えば、無線ノード）は、１つまたは複数のそのアンテナによって信号を受信しうる。信号は、複数の空間ストリームを含みうる。この場合、受信機に意図される空間ストリームの数は、受信機の受信アンテナの数よりも少ないか、または等しく、信号は、複数の空間ストリームごとに長いトレーニングフィールド（ＬＴＦ）を備えうる。受信機は、信号の受信の前にパケットにおいて、次のうちの少なくとも１つについての情報を受信しうる：空間ストリームの最大数、または受信機ごとに意図される空間ストリームについての情報。
【００６４】
６０４において、受信機は、受信機の１つまたは複数のアンテナの各々によって受信される信号のＬＴＦに基づいて、他の１つまたは複数の受信機に意図される空間ストリームによって引き起こされる干渉を除去するために干渉抑制を実行しうる。この場合、ＬＴＦは、他の受信機に意図される空間ストリームのチャネルを推定するために利用される。ある態様の場合、受信機内の復号器は、干渉抑制を実行することによって得られる他の受信機に意図される空間ストリームについての知識を使用して、受信機に意図された１つまたは複数の空間ストリームを復号しうる。
【００６５】
図７は、本開示のある態様にしたがって、送信機側オペレーション７００の事例を例示する。７０２において、送信機（例えば、アクセスポイント）は、複数の受信機（例えば、無線ノード）に意図される複数の空間ストリームを備える信号を生成しうる。７０４において、アクセスポイントは、信号のプリアンブルにおいて１つまたは複数のＬＴＦを含みうる。この場合、ＬＴＦの数は、全ての受信機のための全ての空間ストリームをトレーニングするのに十分でありうる。７０６において、アクセスポイントは、受信機のうちの１つまたは複数の受信機にプリアンブルおよび信号を送信しうる。
【００６６】
信号モデル
提案された方法を説明するために、ｉ個の局によって利用されるフラットフェージングともなう狭帯域マルチアンテナ・ダウンリンクチャネルが仮定されうる。ｉ番目の局は、Ｎｒｘ，ｉ本の受信アンテナを備えることができ、ＡＰは、Ｎｔｘ本の送信アンテナを有しうる。そのような狭帯域チャネルは、例えば、ＯＦＤＭ（Ａ）サブキャリア上で観測されうる。
【００６７】
狭帯域チャネルを通してｉ番目の局によって受信される離散時間複素数ベースバンド信号ｙ（ｉ）は、以下のようにモデル化されうる:
【数２】
0006042393.tif 000003
【００６８】
ここで、Ｈ（ｉ）は、複素数エレメントを含むｉ番目の局へのＮｒｘ，ｉ×Ｎｔｘ次元のチャネルを表し、ｘは、ＡＰによって送信されるＮｔｘ次元の複素数ベクトルでありうる、およびｎ（ｉ）は、ｉ番目の局における付加的なホワイトガウスノイズを表すＮｒｘ，ｉ次元の複素数ベクトルでありうる。
【００６９】
これは、ＡＰが、全てのｉ局へＳＤＭＡ信号を送信するのに利用可能な十分な情報を有すると仮定されうる。ＡＰは、ＺＦまたはＭＭＳＥタイプのＳＤＭＡを実行しうる。一般原則の損失なしに、本明細書において、ＺＦタイプのＳＤＭＡが説明される。
【００７０】
ゼロフォーシングＳＤＭＡ（ＺＦ−ＳＤＭＡ）において、ｉ番目の局へのＮｓｓ，ｉ個の空間ストリームをともなうＳＤＭＡを実行するために要求される情報は、Ｎｓｓ，ｉ×Ｎｔｘ次元の行列Ｇ（ｉ）（Ｎｓｓ，ｉ≦Ｎｒｘ，ｉの状態で）において取り込まれることができる。したがって、結合されたＮｔｘ×Ｎｓｓ，ｔｏｔ次元のＺＦ−ＳＤＭＡ重み付け行列Ｗｔｏｔは、次のように表されうる:
【数３】
0006042393.tif 000004
【００７１】
ここで、ｐｉｎｖ（.）は、対応する行列の擬似反転を表し、ＰおよびＱは、それぞれ、送信アンテナごとの電力および空間ストリームごとの電力を最適化するために使用されうる対角行列である。
【００７２】
ＭＭＳＥタイプのＳＤＭＡの場合、ＳＤＭＡ重み付け行列Ｗｔｏｔは、次のように計算されうる:
【数４】
0006042393.tif 000005
【００７３】
ここで、Ａは、対角行列であって、そのエレメントは、空間ストリームごとの予期された雑音電力値である。Ｑが適切に選択されるとき、Ａの対角エレメントはまた、αｉのような局ごとの単一の値、またはαのような全ての局にわたって一様な単一の値に設定されうる。
【００７４】
Ｎｓｓ，ｉ個の空間ストリームが各局に送信されるとすると、重み付け行列Ｗｔｏｔは、ｉ個の部分行列Ｗ（ｉ）に分けられうる。ここで、ｉ番目の合計行列は、オリジナル重み付け行列ＷｔｏｔからＮｓｓ，ｉ列を有する。送信された信号ｘは、次のように表されうる:
【数５】
0006042393.tif 000006
【００７５】
ここで、ｓ（ｉ）は、局ｉのためのシンボルを表すＮｓｓ，ｉ次元の複素数ベクトルであり、Ｗ（ｉ）は、局ｉのためのＳＤＭＡ重み付け行列である。
【００７６】
ビームフォーミング方法
ＩＥＥＥ８０２．１１ｎ標準は、異なるタイプのビームフォーミングをサポートする。このセクションでは、フィードバックレポートを通して暗示的かまたは明示的かのいずれかでＡＰが受信する情報、および提案された固有モード選択（ＥＳ：Eigenmode Selection）方法が説明される。
【００７７】
暗示的ビームフォーミング方法およびＣＳＩフィードバックを使用する明示的ビームフォーミングの両方では、ＡＰは、各局ｉへのダウンリンクチャネルＨ（ｉ）の推定を得る。明示的ビームフォーミングでは、ＩＥＥＥ８０２．１１ｎに基づいてビームフォーミング行列フィードバックを使用して、ビームフォーミング行列Ｖ（ｉ）が局ｉによってフィードバックされる。
【００７８】
局は、Ｈ（ｉ）＝Ｕ（ｉ）Ｄ（ｉ）（Ｖ（ｉ））Ｈであるように、ダウンリンクチャネル上で徳用型の特異値分解（ＳＶＤ：Singular Value Decomposition）を実行することによって、Ｖ（ｉ）を計算しうる。ここで、（.）Ｈは、対応する行列の共役転置（conjugate-transpose）を表し、Ｕ（ｉ）、Ｄ（ｉ）、およびＶ（ｉ）は、一般に、Ｎｒｘ，ｉ×Ｎｒｘ，ｉ、Ｎｒｘ，ｉ×Ｎｒｘ，ｉ、およびＮｔｘ×Ｎｒｘ，ｉのような次元をそれぞれ有しうる。
【００７９】
圧縮されたフィードバックの場合、Ｖ（ｉ）は、直交列から成るべきである。この特性は、圧縮において使用され、Ｖ（ｉ）は、実際にフィードバックされない場合があるが、その圧縮された表示のみフィードバックされうる。ＡＰは、ビームフォーミング行列Ｖ（ｉ）を再構成するために、圧縮された表示を利用しうる。
【００８０】
本開示のある態様の場合、ビームフォーミング行列Ｖ（ｉ）（またはその圧縮された表示）をフィードバックするのみでなく、行列Ｄ（ｉ）の対角上にある単一の値もフィードバックする固有モード選択（ＥＳ：Eigenmode Selection）方法が提案される。
【００８１】
ＡＰは、利用可能な単一の値（つまり、利用可能な固有モード）より少ない空間ストリームを局ｉへ送信することを選択しうる。この場合、ＡＰは、Ｇ（ｉ）が以下のように表されることができるように、第１の（つまり、最良の）Ｎｓｓ，ｉ固有ベクトルをＶ（ｉ）から選択し、少なくとも１つの単一の値をＤ（ｉ）から選択しうる。
【数６】
0006042393.tif 000007
【００８２】
ここで、添字１:Ｎｓｓ，ｉは、対応する行列の第１のＮｓｓ，ｉ行を示し、１:Ｎｓｓ，ｉ、１:Ｎｓｓ，ｉは、対応する行列の上部の左のＮｓｓ，ｉ×Ｎｓｓ，ｉエレメントを示す。
【００８３】
ビームフォーミング行列Ｖ（ｉ）のみを使用する方法に対する、提案された固有モード選択方法の利点のうちの１つは、ＺＦまたはＭＭＳＥのいずれかをともなうＳＤＭＡを使用するとき、局への空間ストリーム上で同じレートが使用されうるように、固有モードが等しくされることである。ＭＭＳＥ ＳＤＭＡと結合する提案された固有モード選択方法は、ＭＭＳＥ−ＥＳと呼ばれうる。
【００８４】
ある態様の場合、提案されたＳＤＭＡ方法は、上で説明されたフィードバック方法と結合されうる。ＡＰは、ダウンリンクＣＳＩが利用可能である局へＳＤＭＡ信号を送信しうる。ＡＰが複数の局に利用可能なＣＳＩを有するとき、例えば、局ｉのためのＧ（ｉ）をＨ（ｉ）と等しく設定することによって、ＺＦ−ＳＤＭＡを実行しうる。
【００８５】
例として、４−アンテナＡＰならびに１および２本のアンテナをそれぞれ備える局１および局２のような２個の局が仮定されうる。この例では、Ｈ（１）は、１×４であり、Ｈ（２）は、２×４であり、ＺＦ−ＳＤＭＡの場合、ＳＤＭＡ重み付け行列Ｗｔｏｔは、次のように表されうる:
【数７】
0006042393.tif 000008
【００８６】
ＡＰが、ＳＤＭＡ重みづけ行列Ｗｔｏｔを適用することによって、局１へ１個の空間ストリームを送信し、局２へ２個の空間ストリームを送信するとき、受信機側においてＡＷＧＮが無視される場合、局１および局２はそれぞれ、次の有効なチャネルを見受けることができる:
【数８】
0006042393.tif 000009
【００８７】
ここで、有効なチャネルの各列は、局側においてどのように空間ストリームが重み付けされたのかを説明している。
【００８８】
したがって、理想的な場合では、局１は、
【数９】
0006042393.tif 000010
【００８９】
の対応する列が０であるので、空間ストリーム２、および３（つまり、局２をターゲットとするストリーム）からいかなる干渉も見受けない場合があり、局２は、
【数１０】
0006042393.tif 000011
【００９０】
の第１の列が全てゼロであるので、空間ストリーム１（つまり、局１をターゲットとするストリーム）からいかなる干渉も見受けない場合がある。
【００９１】
ある態様の場合、ＡＰがダウンリンクＣＳＩ値についての正確な知識がない場合、干渉抑制は、マルチユーザ干渉を緩和するために局において実行されうる。この場合、そのような局は、追加の自由度を有する必要がありうる。ＳＤＭＡ送信において局に向けられた空間ストリームの数よりも多くの受信アンテナを有する局は、一般に、干渉を緩和するために使用しうる追加の自由度を有する。
【００９２】
例えば、局１が２本のアンテナを有しているが、それでもなおＡＰがこの局へ１つの空間ストリームを送信する場合、およびＡＰが、Ｈ１（１）によって示される、送信のためにＨ（１）２×４の第１の行を選択する場合、ＳＤＭＡ重み付け行列は、次のように表されうる：
【数１１】
0006042393.tif 000012
【００９３】
したがって、局１は、以下の有効なチャネルを見受けられうる:
【数１２】
0006042393.tif 000013
【００９４】
ここで、ｃｘは、複素数値である。局１は、３個の空間ストリームトレーニングを利用することによって２×３の有効なチャネルをトレーニングすることができうる。したがって、これは、以下のように、有効なチャネルからＭＭＳＥ重み付けを計算し、チャネル推定を得るためにそれを利用しうる:
【数１３】
0006042393.tif 000014
【００９５】
その結果として、局１は、それをターゲットとする第１の空間ストリームを抽出しうる。局２の２個のストリームからの干渉を緩和するために、局１は、１つの余分な受信アンテナのみを必要としうることが注目されるべきである。これは、ＡＰにおいてＺＦまたはＭＭＳＥタイプのＳＤＭＡを利用するので可能である。
【００９６】
さらに、局１のＭＭＳＥ重み付けにおいて反転される必要がある行列のサイズは、Ｎｒｘ，１×Ｎｒｘ，１と等しい場合がある。これは、この例では、２×２である。また、局１は、それ自身の空間ストリームのみに関心を持ちうる。したがって、式（１２）は、以下の式に単純化されうる：
【数１４】
0006042393.tif 000015
【００９７】
ここで、（.）１は、対応する行列の第１の行を表す。
【００９８】
明示的なビームフォーミング行列フィードバックをサポートするデバイスへのＳＤＭＡ
ＺＦまたはＭＭＳＥタイプのＳＤＭＡはまた、明示的なビームフォーミング行列フィードバックをサポートするデバイスに適用されうる。例として、４−アンテナＡＰおよび各々が２本のアンテナを有する２個の局（例えば、局１および局２）が検討されうる。ＡＰから局への結合されたチャネルは、４×４行列Ｈでありうる。Ｈの第１の２行は、局１へのチャネル、Ｈ（１）を表すことができ、Ｈの第２の２行は、局２へのチャネル、Ｈ（２）を表わすことができる。局の各々によって実行される「徳用型（economy size）」ＳＶＤは、以下のように表されうる:
【数１５】
0006042393.tif 000016
【００９９】
ＡＰが、受信した結合されたＳＶＤビームフォーミング行列からＺＦ行列を計算する場合、以下のＳＤＭＡ重み付け行列が計算されうる:
【数１６】
0006042393.tif 000017
【０１００】
一般に、Ｖ（１）の列が、Ｖ（２）の列に対して直行ではない場合があるので、結合されたＳＶＤビームフォーミング行列から生成される行列がユニタリ行列という結果とならない場合があることに注意せよ。
【０１０１】
ＡＰが上記のＳＤＭＡ重み付け行列を適用するとき、局１および局２は、以下の有効なチャネルをそれぞれ見うける場合がある:
【数１７】
0006042393.tif 000018
【０１０２】
ここで、０２×２は、全てゼロのエレメントをともなう２×２行列を表す。その結果、送信機は、それぞれ、空間ストリーム１および２上で局１へデータを送信し、空間ストリーム３および４上で局２へデータを送信しうる。各局は、適切なトレーニングが使用される場合、それ自身のデータを受信することができる。
【０１０３】
この例では、各局をターゲットとする空間ストリームの数は、局の受信アンテナの数と等しい。専用の空間処理が局において必要ではないので、局は、それらのＭＩＭＯ検出器を単に使用しうる。
【０１０４】
第２の例として、４−アンテナＡＰおよび２個の３−アンテナ局が検討されうる。したがって、ＡＰから局への結合されたチャネルは、６×４行列Ｈでありうる。ここで、Ｈの第１の３行は、局１へのチャネル、Ｈ（１）を表すことができ、Ｈの次の３行は、局２へのチャネル、Ｈ（２）を表すことができる。局１および局２によって行われる「徳用型（economy size）」ＳＶＤは、それぞれ、以下の式という結果となりうる:
【数１８】
0006042393.tif 000019
【０１０５】
４本の送信アンテナをともなうＡＰが、合計４個の空間ストリームのみをサポートしうるとすると、各局またはＡＰは、Ｖ（１）およびＶ（２）から２列をそれぞれ選択しうる。局が選択をする場合、局は、Ｖ'（ｉ）がＶ（ｉ）からの２列から形成されるように、Ｖ'（１）およびＶ'（２）において、選択された列をそれぞれフィードバックしうる。この場合、ｉ={１，２}である。
【０１０６】
Ｖ'（１）およびＶ'（２）行列を受信した後、ＡＰは、以下のようなＺＦ−ＳＤＭＡ重み付け行列を作成しうる:
【数１９】
0006042393.tif 000020
【０１０７】
この例では、しかしながら、局は、異なる空間ストリームを分離するために、専用の空間フィルタリングまたは干渉抑制を適用する必要がある。Ｖ'（１）およびＶ'（２）上の選択された２列がＤ（１）およびＤ（２）における第１および第２の対角線のエントリーにそれぞれ対応する場合、局は、以下の有効なチャネルを見受けられうる:
【数２０】
0006042393.tif 000021
【０１０８】
ここで、ｃｘ，ｘ=１，…４は、局ごとに大概異なる複素数値である。その結果、各局に対する第１の２個の固有モードは、割り当てられたストリームを含みうるのに対し、各局に対する第３の固有モードは、他の局からの干渉を含みうる。
【０１０９】
ある態様の場合、局の各々において２個の求められている固有モードをフィルタするために少なくとも２つの方法が使用されうる。第１の方法は、専用の空間フィルタリングを使用することでありうる。この場合、局ｉに関する専用の処理は、Ｕ（ｉ）の第１の２列のエルミート（hermitian）転置から成る。専用の空間ストリームは、それぞれ、局１および局２について以下の有効な対角チャネルという結果となりうる:
【数２１】
0006042393.tif 000022
【０１１０】
したがって、各局は、それをターゲットとする２個の空間ストリーム上のデータを推定することができうる。有効な対角チャネルが第１の２個の単一の値から成るので、これらの単一の値が等しくないとき、２個の固有モード上の等しくないレート／変調は、等しいレート／変調よりも良いスループットという結果となりうる。
【０１１１】
局の各々において２個の求められる固有モードをフィルタするための第２の方法は、マルチユーザ検出に基づきうる。マルチユーザ検出または干渉抑制では、有効なチャネル行列Ｈｅｆｆ（ｉ）を計算されうるＭＭＳＥ重み付けが、反転されうる。有効な３×４次元のチャネル行列Ｈｅｆｆ（１）をＨｅｆｆ（１）の擬似反転に掛けることによって、以下の式が結果として生じうる:
【数２２】
0006042393.tif 000023
【０１１２】
第１の２個のストリームのみが局１において必要であるので、上記の式は、以下のように簡略化されうる:
【数２３】
0006042393.tif 000024
【０１１３】
この方法では、局は、そのアクティブな受信アンテナの数と等しいサイズをともなう反転行列を計算する必要がありうる。局は、この方法から利益を得るために受信することができる、またはそれが受信する空間ストリームの数よりも１つだけ多い受信アンテナを必要としうるのみであることに留意されるべきである。
【０１１４】
４−アンテナＡＰおよび２個の３−アンテナ局を有するこの例においてＭＭＳＥ−ＥＳが適用される場合、ＺＦまたはＭＭＳＥタイプのＳＤＭＡ重み付けは、Ｖ'（ｉ）Ｈ行列の組み合わせの代わりに、Ｄ（ｉ）Ｖ'（ｉ）Ｈの組み合わせから計算される。
【０１１５】
フレキシブルＳＤＭＡ
本開示のある態様は、複数のフィードバックタイプが、ＺＦ、ＭＭＳＥ、または他の方法を利用する１つのＳＤＭＡ送信に結合されうるフレキシブルＳＤＭＡ技術を示す。
【０１１６】
事例は、提案されたフレキシブルＳＤＭＡ技術の記述を助けるために示されるが、当業者は、提案された方式が任意の一般的なシナリオに使用されうるという事実を認識するだろう。４−アンテナＡＰは、３つの局、すなわち、局１、局２、および局３で検討されうる。
【０１１７】
局１は、１つの受信アンテナを利用し、ＩＥＥＥ８０２．１１ｎ標準に従う暗示的ビームフォーミングをサポートしうる。ＡＰは、Ｇ（１）=Ｈ（１）であるように、サウンディング信号のようなアップリンク送信からダウンリンクＣＳＩを得ることができる。これは、１×Ｎｔｘ-次元およびアップリンクチャネルの転置である。
【０１１８】
局２はまた、ＩＥＥＥ８０２．１１ｎ標準にしたがって、１つの受信アンテナを利用し、明示的なフィードバックを送信しうる。フィードバックは、Ｇ（２）=Ｖ（２）Ｈが１×Ｎｔｘ-次元であり、Ｄ（２）が１つの単一の値を含むように、Ｈ（２）の徳用型ＳＶＤから得られるビームフォーミング行列、Ｈ（２）=Ｕ（２）Ｄ（２）Ｖ（２）Ｈ、でありうる。
【０１１９】
局３は、Ｇ（３）=Ｄ'（３）Ｖ’（３）Ｈであるように、２本の受信アンテナを有することができ、ＡＰが１個の固有モードを選択するＭＭＳＥ−ＥＳおよび干渉抑制をサポートすることができる。ここで、Ｖ'（３）は、Ｖ（３）の第１の固有ベクトルであり、Ｄ'（３）は、第１の単一のベクトルである。
【０１２０】
ＺＦを利用するＳＤＭＡ技術の場合、ＳＤＭＡ重み付け行列は、以下のように表されうる:
【数２４】
0006042393.tif 000025
【０１２１】
ＡＰにおいて上記のＳＤＭＡ重み付け行列を適用するとき、各局によって見受けられる有効なチャネルは、以下のように表されうる：
【数２５】
0006042393.tif 000026
【０１２２】
多くの処理なしで、局１および局２は、それらのそれぞれの空間ストリームを得ることができる。局３は、Ｕ（３）の第１の列のエルミート転置のような特定の空間フィルタを適用することによって、または上で説明されたような干渉抑制を適用することによってその空間ストリームをフィルタしうる。
【０１２３】
本開示のある態様の場合、フレキシブルＳＤＭＡ技術に対するいくつかの制限がありうる。例えば、専用の空間フィルタリングを行うために、局がアンテナのスイッチをオフにすることができないとき、または局がそのＵ行列を記憶しないとき（これは、恐らくＩＥＥＥ８０２．１１ｎ標準を利用するほとんどのデバイスについて真である）、および局が干渉抑制をサポートしないとき、ＡＰは、全てのアクティブ受信アンテナまたは対応するアクティブ固有モードをヌルにするべきである。ＡＰは、Ｎｒｘ，ｉと等しいＮｓｓ，ｉをともなうレートを使用するか、またはより少ない空間ストリームを使用するかのいずれかであることができ、Ｎｒｘ，ｉ個の利用可能なストリーム上でそれらをコピーする／空間的に拡張することができる。ＳＤＭＡ送信では、ＡＰは、Ｎｒｘ，ｉ個の空間ストリームのチャネルトレーニングを可能にするこれらの局に対してトレーニングを送信しうる。
【０１２４】
局が干渉抑制をサポートすることをＡＰが知っているとき、ＳＤＭＡ送信では、ＡＰは、Ｎｓｓ，ｔｏｔストリームのためにトレーニングを提供しうる。局は、次に、Ｎｒｘ，ｉ×Ｎｓｓ，ｔｏｔチャネルをトレーニングし、トレーニングされたチャネルにより干渉抑制を実行しうる。サウンディングおよびＳＤＭＡ送信の間、干渉抑制方法を利用することによってパフォーマンス利得を潜在的に有するためにＳＤＭＡ送信においてそのＮｓｓ，ｉ個の割り当てられた空間ストリームよりも１つ多いアクティブ受信アンテナを必要としうる。
【０１２５】
干渉抑制をサポートするためのプリアンブル要求
干渉抑制では、局は、それがサポートしうる全ての空間ストリーム（例えば、Ｎｓｓ，ｔｏｔ）をトレーニングしうる。したがって、干渉抑制を適用しないが、同じＳＤＭＡ送信の一部である他の局は、他の局が干渉抑制を実行しているという事実に気がついているべきである。なぜならば、各局は、全ての局のための空間ストリームの合計数に対応する長さをともなうトレーニング信号を予想する必要があるからである。
【０１２６】
いずれの局も干渉抑制を実行しない場合、各局について、ＡＰが他の局からの信号を十分にヌルにすることを予想する。その結果、ＳＤＭＡ送信では、局がそれの割り当てられた空間ストリームを検出することを助けるために要求されるトレーニングを各局へ送信するのに十分でありうる。
【０１２７】
１つの局が干渉抑制をサポートする場合、全ての局へのトレーニングは、干渉抑制をサポートする局へのトレーニングと等しい場合がある。例えば、上で示された事例では、全ての局へのトレーニングは、３個の空間ストリームであるべきである。例えば、ＩＥＥＥ８０２．１１ｎのトレーニングでは、以下の表において示されるように、複数の長いトレーニングフィールドが送信されうる:
【表１】
0006042393.tif 000027
【０１２８】
局１および局２が干渉抑制を実行していない場合、それらは空間ストリームの合計数、およびＨＴ−ＬＴＦの正確な極性を補償するために、どの空間ストリーム（単数または複数）がそれらに割り当てられるのかを知る必要がある。１つの空間ストリームのみが局の各々へ「ビームされうる」としても、３個の空間ストリームを含む局３にトレーニングが必要とされるので、局１および局２は、４個のＨＴ−ＬＴＦフィールドを受信しうる。
【０１２９】
ある態様の場合、各局（例えば、局３）は、ＳＤＭＡ送信においてマルチ空間ストリーム信号フィールド（つまり、局に固有の信号フィールド）を検出することができるように、干渉抑制を適用する必要がある。したがって、局に固有の信号フィールドは、マルチユーザトレーニングフィールドの後に送信されるべきである。
【０１３０】
ある態様の場合、干渉抑制の間にそれら自身の空間ストリーム（単数または複数）をフィルタすることおよび／または長いトレーニングフィールド極性を認識することができるように、局は、空間ストリームの合計数およびそれらに割り当てられる空間ストリームを知るべきである。
【０１３１】
ある態様の場合、空間ストリームの合計数についておよび各局に割り当てられるストリームについての情報は、ＳＤＭＡ送信の前に送信されるシグナリングパケットまたは共通の信号フィールドのいずれかを通して送信されうる。これは、図４におけるＶＨＴ−ＳＩＧ１ ４０８でありうるか、またはＳＤＭＡ送信のプリアンブルの予め符号化された部分の前にプリアンブルの全レガシー部分４０２において全ての局へ送信されうる。
【０１３２】
上で説明された方法の様々なオペレーションは、対応する機能を実行することができる任意の適切な手段によって実行されうる。当該手段は、次のものには制限されないが、回路、特定用途集積回路（ＡＳＩＣ）、またはプロセッサを含む、様々なハードウェアおよび／またはソフトウェアコンポーネント（単数または複数）および／またはモジュール（単数または複数）を含みうる。一般に、図面においてオペレーションが例示される場合、それらのオペレーションは、同様の番号付をともなう対応する手段プラス機能コンポーネントを有しうる。例えば、図５、６、および７において例示されるオペレーション５００、６００、および７００は、図５Ａ、６Ａ、および７Ａにおいて例示されるコンポーネント５００Ａ、６００Ａ、および７００Ａに対応する。
【０１３３】
本明細書において使用されるように、「決定すること（determining）」という用語は、広範囲の動作を包含する。例えば、「決定すること（determining）」は、計算すること（calculating）、コンピュータ計算すること（computing）、処理すること（processing）、導き出すこと（deriving）、調査すること（investigating）、ルックアップすること（例えば、表、データベース、または他のデータ構造をルックアップすること）、確認することなどを含みうる。また、「決定すること（determining）」は、受信すること（receiving）（例えば、情報を受信すること）、アクセスすること（accessing）（例えば、メモリ内のデータにアクセスすること）などを含みうる。また、「決定すること（determining）」は、解くこと（resolving）、選択すること（selecting）、選ぶこと（choosing）、確立すること（establishing）などを含みうる。
【０１３４】
上で説明された方法の様々なオペレーションは、様々なハードウェアおよび／またはソフトウェアコンポーネント（単数または複数）、回路、および／またはモジュール（単数または複数）などのオペレーションを実行することができる任意の適切な手段によって実行されることができる。一般に、図面において例示される任意のオペレーションは、オペレーションを実行することができる対応する機能的な手段によって実行されることができる。
【０１３５】
本開示と関連して説明された様々な例示的な論理ブロック、モジュール、および回路は、汎用目的プロセッサ、デジタル信号プロセッサ（ＤＳＰ）、特定用途集積回路（ＡＳＩＣ）、フィールドプログラマブルゲートアレイ信号（ＦＰＧＡ）または他のプログラマブル論理デバイス（ＰＬＤ）、離散ゲートまたはトランジスタ論理、離散ハードウェアコンポーネント、または本明細書において説明された機能を実行するように設計されたそれらのものの任意の組み合わせにより実装または実行されうる。汎用目的プロセッサは、マイクロプロセッサでありうるが、代替的に、プロセッサは、任意の商業上利用可能なプロセッサ、コントローラ、マイクロコントローラ、または状態マシンでありうる。プロセッサはまた、コンピュータ計算するデバイスの組み合わせ、例えば、ＤＳＰとマイクロプロセッサの組み合わせ、複数のマイクロプロセッサ、ＤＳＰコアと関連する１つまたは複数のマイクロプロセッサ、または任意の他のそのような構成として実装されうる。
【０１３６】
本開示と関連して説明された方法またはアルゴリズムのステップは、ハードウェアにおいて、プロセッサによって実行されるソフトウェアモジュールにおいて、または２つの組み合わせにおいて直接具体化されうる。ソフトウェアモジュールは、当該技術分野において既知である任意の形式の記憶媒体に存在しうる。使用されうる記憶媒体のいくつかの事例は、ランダムアクセスメモリ（ＲＡＭ）、読み出し専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどを含む。ソフトウェアモジュールは、単一の命令または複数の命令を備えることができ、異なるプログラム中で、および複数の記憶媒体にわたっていくつかの異なる符号セグメント上で配信されうる。記憶媒体は、プロセッサが、記憶媒体から情報を読み出すことができる、または記憶媒体へ情報を書き込むことができるように、プロセッサに結合されることができる。代替的に、記憶媒体は、プロセッサに内蔵されている場合がある。
【０１３７】
本明細書において開示された方法は、説明された方法を達成するための１つまたは複数のステップまたは動作を備える。方法、ステップ、および／または動作は、特許請求の範囲から逸脱することなく交換されうる。言い換えると、ステップまたは動作の特定の順番が指定されない限り、特定のステップおよび／または動作の順番および／または使用は、特許請求の範囲から逸脱することなく修正されうる。
【０１３８】
説明された機能は、ハードウェア、ソフトウェア、ファームウェア、またはこれらのものの任意の組み合わせにおいて実装されうる。ソフトウェアにおいて実装される場合、当該機能は、コンピュータ可読媒体上で１つまたは複数の命令として記憶されうる。記憶媒体は、コンピュータによってアクセスされることができる任意の利用可能な媒体でありうる。制限ではなく一例として、そのようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置または他の磁気記憶装置、またはコンピュータによってアクセスされ、命令形式またはデータ構造で所望のプログラムコードを搬送または記憶するために使用されることができる任意の他の媒体を備えることができる。本明細書において使用されるように、ディスク（diskおよびdisc）は、コンパクトディスク（ＣＤ）、レーザーディスク（登録商標）、光ディスク、デジタルバーサタイルディスク（ＤＶＤ）、フロッピー（登録商標）ディスク、およびブルーレイ（登録商標）ディスクを含む。ここで、通常、disksは、磁気的にデータを再生するのに対し、discsは、レーザーにより光学的にデータを再生する。
【０１３９】
したがって、ある態様は、本明細書において示されたオペレーションを実行するためのコンピュータプログラムプロダクトを備えうる。例えば、そのようなコンピュータプログラムプロダクトは、記憶された（および／または符号化された）命令を有するコンピュータ可読媒体を備えうる。ここで、命令は、本明細書において説明されるオペレーションを実行するために１つまたは複数のプロセッサによって実行可能である。ある態様では、コンピュータプログラムプロダクトは、実装材料を含みうる。
【０１４０】
ソフトウェアまたは命令はまた、伝送媒体上で送信されうる。例えば、ソフトウェアが、同軸ケーブル、光ファイバーケーブル、ツイストペア、デジタル加入者ライン（ＤＳＬ）、または赤外線、ラジオ、およびマイクロウェーブのような無線技術を使用するウェブサイト、サーバ、または他の遠隔ソースから送信される場合、同軸ケーブル、光ファイバーケーブル、ツイストペア、ＤＳＬ、または赤外線、ラジオ、およびマイクロウェーブのような無線技術は、伝送媒体の定義に含まれる。
【０１４１】
さらに、本明細書において説明された方法および技術を実行するためのモジュールおよび／または他の適切な手段は、ダウンロードされることができ、および／または場合によっては適用可能なものとしてユーザ端末および／またはＡＰによって得られることができる。例えば、そのようなデバイスは、本明細書において説明される方法を実行するための手段の伝送を容易にするためにサーバに結合されることができる。代替的に、本明細書において説明された様々な方法は、ユーザ端末および／または基地局が、デバイスへ記憶手段を結合または提供する際に様々な方法を得ることができるように、記憶手段（例えば、ＲＡＭ、ＲＯＭ、コンパクトディスク（ＣＤ）またはフロッピーディスクのような物理的記憶媒体など）を通して提供されることができる。さらに、デバイスに対する本明細書において説明された方法および技術を提供するための任意の他の適切な技術が利用されることができる。
【０１４２】
特許請求の範囲が、上で例示された厳密な構成およびコンポーネントに限定されないことが理解されるべきである。特許請求の範囲から逸脱することなく、上で説明された方法および装置の配列、オペレーション、および詳細において様々な修正、変更、およびバリエーションがなされうる。
【０１４３】
本明細書において提供された技術は、様々なアプリケーションにおいて利用されうる。ある態様の場合、本明細書において提示される技術は、アクセスポイント局、アクセス端末、モバイルハンドセット、または本明細書において提供される技術を実行するための処理論理およびエレメントをともなう他のタイプの無線デバイスに組み込まれることができる。
【０１４４】
前述が本開示の態様に向けられているのに対し、本開示の他の態様およびさらなる態様は、それらの基本的な範囲から逸脱することなく考案されることができ、それらの範囲は、以下の特許請求の範囲によって決定される。
以下に本願発明の当初の特許請求の範囲に記載された発明を付記する。
［Ｃ１］  無線通信のための方法であって、
受信機の少なくとも１つのアンテナを通して信号を受信し、前記信号は、複数の空間ストリームを備えることと、ここにおいて、前記受信機に意図される前記複数の空間ストリームからの空間ストリームの数は、前記アンテナの数よりも少ないか、または等しい、
前記アンテナの各々によって受信される前記信号の１つまたは複数の長いトレーニングフィールド（ＬＴＦ）に基づいて、他の受信機に意図される１つまたは複数の前記空間ストリームによって生じる干渉を除去するために干渉抑制を実行することと、ここにおいて、前記ＬＴＦは、前記他の受信機に意図される前記空間ストリームのチャネルを推定するために利用される、
を備える方法。
［Ｃ２］  前記信号は、前記空間ストリームの最大数のうちの少なくとも１つについての情報、または前記受信機ごとに意図される空間ストリームについての情報を備える、Ｃ１に記載の方法。
［Ｃ３］  前記信号の受信の前にパケットにおいて、前記空間ストリームの最大数のうちの少なくとも１つについての情報、または前記受信機ごとに意図される空間ストリームについての情報を受信することをさらに備える、Ｃ１に記載の方法。
［Ｃ４］  前記干渉抑制を実行することによって獲得される前記他の受信機に意図される前記空間ストリームについての知識を使用して前記受信機に意図される１つまたは複数の空間ストリームを復号することをさらに備える、Ｃ１に記載の方法。
［Ｃ５］  前記信号は、１つまたは複数のＬＴＦを備え、前記ＬＴＦの数は、全ての前記受信機のための全ての前記複数の空間ストリームをトレーニングするのに十分である、Ｃ１に記載の方法。
［Ｃ６］  前記ＬＴＦの後に、前記信号の非常に高いスループット信号フィールド（ＶＨＴ−ＳＩＧ）が続き、前記ＶＨＴ−ＳＩＧフィールドは、前記受信機の各々と関連する変調タイプ、符号化レート、または送信パケットの長さのうちの少なくとも１つについての情報を備える、Ｃ５に記載の方法。
［Ｃ７］  前記信号の非常に高いスループット信号フィールド（ＶＨＴ−ＳＩＧ）が、１セットの前記ＬＴＦに先行し、
前記ＶＨＴ−ＳＩＧフィールドは、前記セットからのＬＴＦの数について、および前記複数の空間ストリームのうちのどれが前記受信機のどれに割り当てられるのかについての情報を備える、Ｃ５に記載の方法。
［Ｃ８］  前記信号は、空間分割多元接続（ＳＤＭＡ）を使用して送信される、Ｃ１に記載の方法。
［Ｃ９］  無線通信のための装置であって、
前記装置の少なくとも１つのアンテナを通して信号を受信するように構成され、前記信号は、複数の空間ストリームを備える受信機と、ここにおいて、前記装置に意図される前記複数の空間ストリームからの空間ストリームの数は、前記アンテナの数よりも少ないか、または等しい、
前記アンテナの各々によって受信される前記信号の１つまたは複数の長いトレーニングフィールド（ＬＴＦ）に基づいて、他の装置に意図される１つまたは複数の前記空間ストリームによって生じる干渉を除去するために干渉抑制を実行するように構成される回路と、ここにおいて、前記ＬＴＦは、前記他の装置に意図される前記空間ストリームのチャネルを推定するために利用される、
を備える装置。
［Ｃ１０］  前記信号は、前記空間ストリームの最大数のうちの少なくとも１つについての情報、または前記他の装置の各々に意図される空間ストリームについての情報を備える、Ｃ９に記載の装置。
［Ｃ１１］  前記受信機はまた、
前記信号の受信の前にパケットにおいて、前記空間ストリームの最大数のうちの少なくとも１つについての情報、または前記他の装置の各々に意図される空間ストリームについての情報を受信する
ように構成されている、Ｃ９に記載の装置。
［Ｃ１２］  前記干渉抑制を実行することによって得られる、前記他の装置に意図される前記空間ストリームについての知識を使用する前記装置に意図される１つまたは複数の空間ストリームを復号するように構成される復号器をさらに備える、Ｃ９に記載の装置。
［Ｃ１３］  前記信号は、１つまたは複数のＬＴＦを備え、前記ＬＴＦの数は、全ての前記他の装置のための前記複数の空間ストリームの全てをトレーニングするのに十分である、Ｃ９に記載の装置。
［Ｃ１４］  前記ＬＴＦの後に、前記信号の非常に高いスループット信号フィールド（ＶＨＴ−ＳＩＧ）が続き、
前記ＶＨＴ−ＳＩＧフィールドは、前記他の装置の各々と関連する変調タイプ、符号化レート、または送信パケットの長さのうちの少なくとも１つについての情報を備える、Ｃ１３に記載の装置。
［Ｃ１５］  前記信号の非常に高いスループット信号フィールド（ＶＨＴ−ＳＩＧ）が、１セットの前記ＬＴＦに先行し、
前記ＶＨＴ−ＳＩＧフィールドは、前記セットからのＬＴＦの数について、および前記複数の空間ストリームのうちのどれが前記他の装置のどれに割り当てられるのかについての情報を備える、Ｃ１３に記載の装置。
［Ｃ１６］  前記信号は、空間分割多元接続（ＳＤＭＡ）を使用して送信される、Ｃ９に記載の装置。
［Ｃ１７］  無線通信のための装置であって、
前記装置の少なくとも１つのアンテナを通して信号を受信し、前記信号は、複数の空間ストリームを備える手段であって、前記装置に意図される前記複数の空間ストリームからの空間ストリームの数は、前記アンテナの数よりも少ないか、または等しい、手段と、
前記アンテナの各々によって受信される前記信号の１つまたは複数の長いトレーニングフィールド（ＬＴＦ）に基づいて、他の装置に意図される前記空間ストリームのうちの１つまたは複数によって生じる干渉を除去するために干渉抑制を実行するための手段であって、前記ＬＴＦは、前記他の装置に意図される前記空間ストリームのチャネルを推定するために利用される、手段と
を備える装置。
［Ｃ１８］  前記信号は、前記空間ストリームの最大数のうちの少なくとも１つについての情報、または前記他の装置の各々に意図される空間ストリームについての情報を備える、Ｃ１７に記載の装置。
［Ｃ１９］  前記受信するための手段は、前記信号の受信の前にパケットにおいて、前記空間ストリームの最大数のうちの少なくとも１つについての情報、または前記他の装置ごとに意図される空間ストリームについての情報を受信するようにさらに構成される、Ｃ１７に記載の装置。
［Ｃ２０］  前記干渉抑制を実行することによって得られる前記他の装置に意図される前記空間ストリームについての知識を使用して前記装置に意図される１つまたは複数の空間ストリームを復号するための手段をさらに備える、Ｃ１７に記載の装置。
［Ｃ２１］  前記信号は、１つまたは複数のＬＴＦを備え、前記ＬＴＦの数は、全ての前記他の装置のための前記複数の空間ストリームの全てをトレーニングするのに十分である、Ｃ１７に記載の装置。
［Ｃ２２］  前記ＬＴＦの後に、前記信号の非常に高いスループット信号フィールド（ＶＨＴ−ＳＩＧ）が続き、
前記ＶＨＴ−ＳＩＧフィールドは、前記他の装置の各々と関連する、変調タイプ、符号化レート、または送信パケットの長さのうちの少なくとも１つについての情報を備える、Ｃ２１に記載の装置。
［Ｃ２３］  前記信号の非常に高いスループット信号フィールド（ＶＨＴ−ＳＩＧ）が、１セットの前記ＬＴＦに先行し、
前記ＶＨＴ−ＳＩＧフィールドは、前記セットからのＬＴＦの数について、および前記複数の空間ストリームのうちのどれが前記他の装置のどれに割り当てられるのかについての情報を備える、Ｃ２１に記載の装置。
［Ｃ２４］  前記信号は、空間分割多元接続（ＳＤＭＡ）を使用して送信される、Ｃ１７に記載の装置。
［Ｃ２５］  無線通信のためのコンピュータプログラムプロダクトであって、
受信機の少なくとも１つのアンテナを通して信号を受信し、前記信号は、複数の空間ストリームを備えることと、ここにおいて、前記受信機に意図される前記複数の空間ストリームからの空間ストリームの数は、前記アンテナの数よりも少ないか、または等しい、
前記アンテナの各々によって受信される前記信号の１つまたは複数の長いトレーニングフィールド（ＬＴＦ）に基づいて、他の受信機に意図される前記空間ストリームの１つまたは複数によって生じる干渉を除去するために干渉抑制を実行することと、ここにおいて、前記ＬＴＦは、前記他の受信機に意図される前記空間ストリームのチャネルを推定するために利用される、
を実行することができる命令を備えるコンピュータ可読媒体を備える、コンピュータプログラムプロダクト。
［Ｃ２６］  無線ノードであって、
少なくとも１つのアンテナと、
前記無線ノードの前記少なくとも１つのアンテナを通して信号を受信し、前記信号は、複数の空間ストリームを備えるように構成される受信機であって、前記無線ノードに意図される前記複数の空間ストリームからの空間ストリームの数は、前記アンテナの数よりも少ないか、または等しい、受信機と、
前記アンテナの各々によって受信される前記信号の１つまたは複数の長いトレーニングフィールド（ＬＴＦ）に基づいて、他の無線ノードに意図される前記空間ストリームのうちの１つまたは複数によって生じる干渉を除去するために干渉抑制を実行するように構成される回路であって、前記ＬＴＦは、前記他の無線ノードに意図される前記空間ストリームのチャネルを推定するために利用される、回路と
を備える無線ノード。
［Ｃ２７］  無線通信のための方法であって、
送信機と少なくとも２個の受信機との間の複数の無線チャネルを推定することと、ここにおいて、前記受信機の少なくとも１つの受信機のチャネル推定は、他の受信機と比較して異なるように取得され、前記チャネル推定は、受信機から前記送信機へのチャネル状態情報（ＣＳＩ）または前記ＣＳＩの圧縮された表示を備える明示的なフィードバック、または前記受信機から前記送信機へのチャネルを使用する前記送信機から前記受信機へのチャネルの暗示的な推定のいずれかを通して取得される、
結合されたチャネル推定を得るために前記チャネル推定を結合することと、
前記結合されたチャネル推定に基づいて空間分割多元接続（ＳＤＭＡ）重み付けを計算することと、
前記計算されたＳＤＭＡ重み付けを使用して前記受信機へ複数の信号を送信することと
を備える方法。
［Ｃ２８］  非ＳＤＭＡ対応の受信機に意図される１つまたは複数の信号は、ビームフォームされず、ＳＤＭＡ対応の受信機に意図される１つまたは複数の信号は、ビームフォームされる、Ｃ２７に記載の方法。
［Ｃ２９］  明示的なチャネル推定は、前記受信機のうちの１つまたは複数の受信機へサウンディング信号を送信すること、および前記受信機からフィードバックを受信することによって得られる、Ｃ２７に記載の方法。
［Ｃ３０］  前記フィードバックは、少なくとも１つのビームフォーミング行列または少なくとも１つの単一の値を備える、Ｃ２９に記載の方法。
［Ｃ３１］  前記チャネル推定またはそれらのものの圧縮された表示は、前記受信機からのフィードバックに基づいて得られ、前記フィードバックは、直行周波数分割多重化（ＯＦＤＭ）または直行周波数分割多元接続（ＯＦＤＭＡ）のうちの少なくとも１つを利用するシステムにおいて複数のサブキャリアの各々のチャネルについての情報を備える、Ｃ２７に記載の方法。
［Ｃ３２］  前記複数の信号を送信することは、複数のトレーニングフィールドを含むプリアンブルを送信することを備え、ここにおいて、前記トレーニングフィールドは、マルチユーザ複数入力複数出力（ＭＩＭＯ）チャネルを推定するために使用され、前記トレーニングフィールドの数は、前記信号における空間ストリームの合計数に基づいて決定される、Ｃ２７に記載の方法。
［Ｃ３３］  ＳＤＭＡ送信の前にパケットにおいて、空間ストリームの合計数のうちの少なくとも１つを送信すること、および前記受信機の各々に意図される１つまたは複数の空間ストリームのマッピングをさらに備える、Ｃ２７に記載の方法。
［Ｃ３４］  干渉抑制を実行するために使用されうる複数のトレーニングフィールドの前にプリアンブルの一部において、空間ストリームの合計数のうちの少なくとも１つを送信すること、および前記少なくとも２個の受信機の各々のための空間ストリームのマッピングをさらに備える、Ｃ２７に記載の方法。
［Ｃ３５］  無線通信のための装置であって、
前記装置と少なくとも２個の他の装置との間の複数の無線チャネルを推定するように構成される推定器であって、前記他の装置の少なくとも１つの装置のチャネル推定は、他の装置と比較して異なるように取得され、前記チャネル推定は、前記他の装置のうちの１つから前記装置へチャネル状態情報（ＣＳＩ）または前記ＣＳＩの圧縮された表示を備える明示的なフィードバック、または前記他の装置から前記装置へのチャネルを使用する前記装置から前記他の装置へのチャネルの暗示的な推定のいずれかを通して取得される、推定器と、
結合されたチャネル推定を得るために前記チャネル推定を結合するように構成される結合器と、
前記結合されたチャネル推定に基づいて空間分割多元接続（ＳＤＭＡ）重み付けを計算するように構成される回路と、
前記計算されたＳＤＭＡ重み付けを使用して前記他の装置へ複数の信号を送信するように構成される送信機と
を備える装置。
［Ｃ３６］  非ＳＤＭＡ対応の装置に意図される１つまたは複数の信号は、ビームフォームされず、ＳＤＭＡ対応の装置に意図される１つまたは複数の信号は、ビームフォームされる、Ｃ３５に記載の装置。
［Ｃ３７］  明示的なチャネル推定は、前記他の装置のうちの１つまたは複数の装置へサウンディング信号を送信することによって、および前記他の装置からフィードバックを受信することによって得られる、Ｃ３５に記載の装置。
［Ｃ３８］  前記フィードバックは、少なくとも１つのビームフォーミング行列または少なくとも１つの単一の値を備える、Ｃ３７に記載の装置。
［Ｃ３９］  前記チャネル推定またはそれらのものの圧縮された表示は、前記他の装置からのフィードバックに基づいて得られ、前記フィードバックは、直行周波数分割多重化（ＯＦＤＭ）または直行周波数分割多元接続（ＯＦＤＭＡ）のうちの少なくとも１つを利用するシステムにおいて複数のサブキャリアの各々のチャネルについての情報を備える、Ｃ３５に記載の装置。
［Ｃ４０］  前記送信機はまた、複数のトレーニングフィールドを含むプリアンブルを送信するように構成され、前記トレーニングフィールドは、マルチユーザ複数入力複数出力（ＭＩＭＯ）チャネルを推定するために使用され、前記トレーニングフィールドの数は、前記信号における空間ストリームの合計数に基づいて決定される、Ｃ３５に記載の装置。
［Ｃ４１］  前記送信機はまた、ＳＤＭＡ送信の前にパケットにおいて、空間ストリームの合計数のうちの少なくとも１つを送信し、および前記他の装置の各々に意図される１つまたは複数の空間ストリームのマッピングをするように構成される、Ｃ３５に記載の装置。
［Ｃ４２］  前記送信機はまた、干渉抑制を実行するために使用されうる複数のトレーニングフィールドの前にプリアンブルの一部において、空間ストリームの合計数のうちの少なくとも１つを送信し、および前記少なくとも２個の他の装置の各々のための空間ストリームのマッピングをするように構成される、Ｃ３５に記載の装置。
［Ｃ４３］  無線通信のための装置であって、
前記装置と少なくとも２個の他の装置との間の複数の無線チャネルを推定するための手段であって、前記他の装置のうちの少なくとも１つの装置のチャネル推定は、他の装置と比較して異なるように取得され、前記チャネル推定は、前記他の装置のうちの１つから前記装置へチャネル状態情報（ＣＳＩ）または前記ＣＳＩの圧縮された表示を備える明示的なフィードバック、または前記他の装置から前記装置へのチャネルを使用する前記装置から前記他の装置へのチャネルの暗示的な推定のいずれかを通して得られる、手段と、
結合されたチャネル推定を得るために前記チャネル推定を結合するための手段と、
前記結合されたチャネル推定に基づいて空間分割多元接続（ＳＤＭＡ）重み付けを計算するための手段と、
前記計算されたＳＤＭＡ重み付けを使用する前記他の装置へ複数の信号を送信するための手段と
を備える装置。
［Ｃ４４］  非ＳＤＭＡ対応の装置に意図される１つまたは複数の信号は、ビームフォームされず、ＳＤＭＡ対応の装置に意図される１つまたは複数の信号は、ビームフォームされる、Ｃ４３に記載の装置。
［Ｃ４５］  明示的なチャネル推定は、前記他の装置のうちの１つまたは複数の装置へサウンディング信号を送信すること、および前記他の装置からフィードバックを受信することによって得られる、Ｃ４３に記載の装置。
［Ｃ４６］  前記フィードバックは、少なくとも１つのビームフォーミング行列または少なくとも１つの単一の値を備える、Ｃ４５に記載の装置。
［Ｃ４７］  前記チャネル推定またはそれらのものの圧縮された表示は、前記他の装置からのフィードバックに基づいて得られ、前記フィードバックは、直行周波数分割多重化（ＯＦＤＭ）または直行周波数分割多元接続（ＯＦＤＭＡ）のうちの少なくとも１つを利用するシステムにおいて複数のサブキャリアの各々のチャネルについての情報を備える、Ｃ４３に記載の装置。
［Ｃ４８］  前記送信するための手段は、複数のトレーニングフィールドを含むプリアンブルを送信するようにさらに構成され、前記トレーニングフィールドは、マルチユーザ複数入力複数出力（ＭＩＭＯ）チャネルを推定するために使用され、前記トレーニングフィールドの数は、前記信号における空間ストリームの合計数に基づいて決定される、Ｃ４３に記載の装置。
［Ｃ４９］  前記送信するための手段は、ＳＤＭＡ送信の前にパケットにおいて、空間ストリームの合計数のうちの少なくとも１つを送信し、および前記他の装置ごとに意図される１つまたは複数の空間ストリームのマッピングをするようにさらに構成される、Ｃ４３に記載の装置。
［Ｃ５０］  前記送信する手段は、干渉抑制を実行するために使用されうる複数のトレーニングフィールドの前にプリアンブルの一部において、空間ストリームの合計数のうちの少なくとも１つを送信し、および前記少なくとも２個の他の装置ごとの空間ストリームのマッピングをするようにさらに構成される、Ｃ４３に記載の装置。
［Ｃ５１］  無線通信のためのコンピュータプログラムプロダクトであって、
送信機と少なくとも２個の受信機との間の複数の無線チャネルを推定することと、ここにおいて、前記受信機のうちの少なくとも１つの受信機のチャネル推定は、他の受信機と比較して異なるように取得され、前記チャネル推定は、受信機から前記送信機へのチャネル状態情報（ＣＳＩ）または前記ＣＳＩの圧縮された表示を備える明示的なフィードバック、または前記受信機から前記送信機へのチャネルを使用する前記送信機から前記受信機へのチャネルの暗示的な推定のいずれかを通して得られる、
結合されたチャネル推定を得るために前記チャネル推定を結合することと、
前記結合されたチャネル推定に基づいて空間分割多元接続（ＳＤＭＡ）重み付けを計算することと、
前記計算されたＳＤＭＡ重み付けを使用する前記受信機へ複数の信号を送信することと
を実行可能な命令を備えるコンピュータ可読媒体を備える、コンピュータプログラムプロダクト。
［Ｃ５２］  アクセスポイントであって、
少なくとも１つのアンテナと、
前記アクセスポイントと少なくとも２個の無線ノードとの間の複数の無線チャネルを推定するように構成される推定器であって、前記無線ノードのうちの少なくとも１つの無線ノードのチャネル推定は、他の無線ノードと比較して異なるように取得され、前記チャネル推定は、前記無線ノードのうちの１つから前記アクセスポイントへチャネル状態情報（ＣＳＩ）または前記ＣＳＩの圧縮された表示を備える明示的なフィードバック、または前記無線ノードから前記アクセスポイントへのチャネルを使用する前記アクセスポイントから前記無線ノードへのチャネルの暗示的な推定のいずれかを通して得られる、推定器と、
結合されたチャネル推定を得るために前記チャネル推定を結合するように構成される結合器と、
前記結合されたチャネル推定に基づいて空間分割多元接続（ＳＤＭＡ）重み付けを計算するように構成される回路と、
前記計算されたＳＤＭＡ重み付けを使用する前記無線ノードへ複数の信号を前記少なくとも１つのアンテナを通して送信するように構成される送信機と
を備えるアクセスポイント。
［Ｃ５３］  無線通信のための方法であって、
複数の受信機に意図される複数の空間ストリームを備える信号を生成することと、
前記信号のプリアンブルにおいて１つまたは複数の長いトレーニングフィールド（ＬＴＦ）を含むことと、ここにおいて、前記ＬＴＦの数は、全ての前記受信機のための全ての前記空間ストリームをトレーニングするのに十分である、
前記プリアンブルおよび前記信号を１つまたは複数の前記受信機へ送信することと
を備える方法。
［Ｃ５４］  前記プリアンブルは、前記ＬＴＦの後に続く非常に高いスループット信号フィールド（ＶＨＴ−ＳＩＧ）を備え、
前記ＶＨＴ−ＳＩＧフィールドは、前記受信機の各々に関連する変調タイプ、符号化レート、または送信パケットの長さのうちの少なくとも１つについての情報を備える、Ｃ５３に記載の方法。
［Ｃ５５］  前記プリアンブルは、１セットの前記ＬＴＦに先立つ非常に高いスループット信号フィールド（ＶＨＴ−ＳＩＧ）を備え、
前記ＶＨＴ−ＳＩＧフィールドは、前記セットからのＬＴＦの数について、および前記空間ストリームのうちのどれが前記受信機のうちのどれに割り当てられるのかについての情報を備える、Ｃ５３に記載の方法。
［Ｃ５６］  前記ＬＴＦ上で空間分割多元接続（ＳＤＭＡ）重み付けを適用することと、
前記プリアンブルにおいて、前記適用されるＳＤＭＡ重み付けをともなう前記ＬＴＦを送信することとをさらに備える、Ｃ５３に記載の方法。
［Ｃ５７］  前記ＬＴＦ上で空間分割多元接続（ＳＤＭＡ）重み付けの導関数を適用することと、
前記プリアンブルにおいて、前記ＳＤＭＡ重み付けの前記適用された導関数をともなう前記ＬＴＦを送信することとをさらに備える、Ｃ５３に記載の方法。
［Ｃ５８］  無線通信のための装置であって、
複数の他の装置に意図される複数の空間ストリームを備える信号を生成するように構成される第１の回路と、
前記信号のプリアンブルにおいて、１つまたは複数の長いトレーニングフィールド（ＬＴＦ）を含むように構成される第２の回路であって、前記ＬＴＦの数は、全ての前記他の装置のための全ての前記空間ストリームをトレーニングするのに十分である、第２の回路と、
前記他の装置のうちの１つまたは複数の装置へ前記プリアンブルおよび前記信号を送信するように構成される送信機と
を備える装置。
［Ｃ５９］  前記プリアンブルは、前記ＬＴＦの後に続く非常に高いスループット信号フィールド（ＶＨＴ−ＳＩＧ）を備え、
前記ＶＨＴ−ＳＩＧフィールドは、前記他の装置の各々に関連する変調タイプ、符号化レート、または送信パケットの長さのうちの少なくとも１つについての情報を備える、Ｃ５８に記載の装置。
［Ｃ６０］  前記プリアンブルは、１セットの前記ＬＴＦに先立つ非常に高いスループット信号フィールド（ＶＨＴ−ＳＩＧ）を備え、
前記ＶＨＴ−ＳＩＧフィールドは、前記セットからのＬＴＦの数についておよび前記空間ストリームのうちのどれが前記他の装置のうちのどれに割り当てられるのかについての情報を備える、Ｃ５８に記載の装置。
［Ｃ６１］  前記ＬＴＦ上で空間分割多元接続（ＳＤＭＡ）重み付けを適用するように構成される第３の回路をさらに備え、
前記送信機はまた、前記プリアンブルにおいて、前記適用されたＳＤＭＡ重み付けをともなう前記ＬＴＦを送信するように構成される、Ｃ５８に記載の装置。
［Ｃ６２］  前記ＬＴＦ上で空間分割多元接続（ＳＤＭＡ）重み付けの導関数を適用するように構成される第３の回路をさらに備え、前記送信機はまた、前記プリアンブルにおいて、前記ＳＤＭＡ重み付けの前記適用された導関数をともなう前記ＬＴＦを送信するように構成される、Ｃ５８に記載の装置。
［Ｃ６３］  無線通信のための装置であって、
複数の他の装置に意図される複数の空間ストリームを備える信号を生成するための手段と、
前記信号のプリアンブルにおいて１つまたは複数の長いトレーニングフィールド（ＬＴＦ）を含むための手段であって、前記ＬＴＦの数は、全ての前記他の装置のための全ての前記空間ストリームをトレーニングするのに十分である、手段と、
前記プリアンブルおよび前記信号を前記他の装置のうちの１つまたは複数へ送信するための手段と
を備える装置。
［Ｃ６４］  前記プリアンブルは、前記ＬＴＦの後に続く非常に高いスループット信号フィールド（ＶＨＴ−ＳＩＧ）を備え、
前記ＶＨＴ−ＳＩＧフィールドは、前記他の装置の各々に関連する変調タイプ、符号化レート、または送信パケットの長さのうちの少なくとも１つについての情報を備える、Ｃ６３に記載の装置。
［Ｃ６５］  前記プリアンブルは、１セットの前記ＬＴＦに先立つ非常に高いスループット信号フィールド（ＶＨＴ−ＳＩＧ）を備え、
前記ＶＨＴ−ＳＩＧフィールドは、前記セットからのＬＴＦの数について、および前記空間ストリームのうちのどれが前記他の装置のうちのどれに割り当てられるのかについての情報を備える、Ｃ６３に記載の装置。
［Ｃ６６］  前記ＬＴＦ上で空間分割多元接続（ＳＤＭＡ）重み付けを適用するための手段をさらに備え、
前記送信するための手段は、前記プリアンブルにおいて、前記適用されたＳＤＭＡ重み付けをともなう前記ＬＴＦを送信するようにさらに構成される、Ｃ６３に記載の装置。
［Ｃ６７］  前記ＬＴＦ上で空間分割多元接続（ＳＤＭＡ）重み付けの導関数を適用するための手段をさらに備え、
前記送信するための手段は、前記プリアンブルにおいて、前記ＳＤＭＡ重み付けの前記適用された導関数をともなう前記ＬＴＦを送信するようにさらに構成される、Ｃ６３に記載の装置。
［Ｃ６８］  無線通信のためのコンピュータプログラムプロダクトであって、
複数の受信機に意図される複数の空間ストリームを備える信号を生成することと、
前記信号のプリアンブルにおいて１つまたは複数の長いトレーニングフィールド（ＬＴＦ）を含むことと、ここにおいて、前記ＬＴＦの数は、全ての前記受信機のための全ての前記空間ストリームをトレーニングするのに十分である、
前記プリアンブルおよび前記信号を前記受信機のうちの１つまたは複数の受信機へ送信することと
を実行可能な命令を備えるコンピュータ可読媒体を備える、コンピュータプログラムプロダクト。
［Ｃ６９］  アクセスポイントであって、
少なくとも１つのアンテナと、
複数の無線ノードに意図される複数の空間ストリームを備える信号を生成するように構成される第１の回路と、
前記信号のプリアンブルにおいて１つまたは複数の長いトレーニングフィールド（ＬＴＦ）を含むように構成される第２の回路であって、前記ＬＴＦの数は、全ての前記無線ノードのための全ての前記空間ストリームをトレーニングするのに十分である、回路と、
前記少なくとも１つのアンテナを通して前記プリアンブルおよび前記信号を前記無線ノードのうちの１つまたは複数の無線ノードへ送信するように構成される送信機と
を備えるアクセスポイント。
【図１】
0006042393.tif 000028
【図２】
0006042393.tif 000029
【図３】
0006042393.tif 000030
【図４】
0006042393.tif 000031
【図５】
0006042393.tif 000032
【図５Ａ】
0006042393.tif 000033
【図６】
0006042393.tif 000034
【図６Ａ】
0006042393.tif 000035
【図７】
0006042393.tif 000036
【図７Ａ】
0006042393.tif 000037